(57)【特許請求の範囲】
【請求項１】
支持基板、第１の絶縁層及びシリコン層を有するＳＯＩ基板上方に、第２の絶縁層を形成し、
前記シリコン層が露出するまで、前記第２の絶縁層をエッチングし、
前記シリコン層の上層部をエッチングすることにより、前記第２の絶縁層が前記シリコン層に対して凸状に突き出た形状とし、
前記シリコン層及び前記第２の絶縁層上方に第３の絶縁層を形成し、
前記第３の絶縁層上方に導電層を形成することを特徴とする半導体装置の作製方法。
【請求項２】
請求項１において、
前記第２の絶縁層の誘電率は、前記第３の絶縁層の誘電率よりも小さいことを特徴とする半導体装置の作製方法。
【請求項３】
請求項１又は２において、
前記第２の絶縁層の誘電率は、４以下であることを特徴とする半導体装置の作製方法。
【発明の詳細な説明】
【技術分野】
【０００１】
本発明は、ＳＯＩ（Ｓｉｌｉｃｏｎ  ｏｎ  Ｉｎｓｕｌａｔｏｒ）基板を用いて作製し
た半導体装置及びその作製方法に関する。
【背景技術】
【０００２】
近年、ＶＬＳＩ技術が飛躍的な進歩を遂げる中で、高速化、低消費電力化を実現するＳ
ＯＩ構造が注目されている。この技術は、従来バルク単結晶シリコンで形成されていた電
界効果トランジスタ（ＦＥＴ；Ｆｉｅｌｄ  Ｅｆｆｅｃｔ  Ｔｒａｎｓｉｓｔｏｒ）の活
性領域（チャネル形成領域）を、薄膜単結晶シリコンとする技術である。
【０００３】
ＳＯＩ構造に用いる基板は、代表的には単結晶シリコン基板上に埋め込み酸化膜層を介
して薄膜シリコン層を形成している。よって、ＳＯＩ基板を用いてＭＯＳ型電界効果トラ
ンジスタ（ＭＯＳＦＥＴ；Ｍｅｔａｌ  Ｏｘｉｄｅ  Ｓｅｍｉｃｏｎｄｕｃｔｏｒ）を作
製すると、従来のバルク単結晶シリコン基板を用いる場合よりも寄生容量を小さくでき、
高速化に有利になることが知られている。
【０００４】
ＳＯＩ基板を用いた従来の薄膜トランジスタの模式図を図１２に示す。図１２（Ａ）は
薄膜トランジスタの上面図を示し、図１２（Ｂ）は図１２（Ａ）における破線Ｏ−Ｐ間の
断面図、図１２（Ｃ）は図１２（Ａ）における破線Ｑ−Ｒ間の断面図に相当する。なお、
図１２（Ａ）では薄膜トランジスタを構成する薄膜等を一部省略している。
【０００５】
図１２に示す薄膜トランジスタは、支持基板９０００上に絶縁層９００２とシリコン層
９００６が順に積層形成されたＳＯＩ基板９００５を用いて形成されている。シリコン層
９００６は島状に形成されており、当該シリコン層９００６上にはゲート絶縁層９００４
を介してゲート電極として機能する導電層９０１２が形成されている。また、シリコン層
９００６は、ゲート絶縁層９００４を介して導電層９０１２と重なる領域に形成されたチ
ャネル形成領域９００８と、ソース領域又はドレイン領域として機能する不純物領域９０
１０とを有している。
【先行技術文献】
【特許文献】
【０００６】
【特許文献１】特開２００５−０１９８５９号公報
【発明の概要】
【発明が解決しようとする課題】
【０００７】
しかしながら、上記のようなＳＯＩ基板を用いた薄膜トランジスタは、島状のシリコン
層の端部に起因して様々な不良が生じる。例えば、ＳＯＩ基板を用いる場合、熱酸化法を
用いてシリコン層の表面を酸化してゲート絶縁層を形成することができる。熱酸化法を用
いれば良好な絶縁層を得ることができるが、シリコン層の端部からも酸化が進んで、図１
２（Ｂ）の破線９００７で示すように、ゲート絶縁層９００４がシリコン層の端部に入り
込んで形成されてしまう問題がある。
【０００８】
また、シリコン層を島状に形成する際のエッチング工程やフッ酸等を用いた洗浄工程な
どの影響で、シリコン層の下層に設けられた絶縁層が除去されてしまうことがある。特に
、シリコン層を薄膜化した場合は、その影響が顕著になる。このとき、図１２（Ｃ）の破
線９００９で示すように、シリコン層の端部付近においてゲート絶縁層の被覆性が悪くな
りやすい。
【０００９】
一方、ゲート絶縁層を、熱酸化法ではなくＣＶＤ法やスパッタリング法を用いて形成す
る場合は、シリコン層の端部に段差があるため、シリコン層の端部におけるゲート絶縁層
の被覆性が悪くなりやすい。
【００１０】
シリコン層の端部においてゲート絶縁層の被覆が十分に行えない場合、ゲート電極を形
成する導電層との短絡や、リーク電流が発生する恐れがある。また、ゲート絶縁層の被覆
不良は、素子やゲート絶縁層の静電破壊（ＥＳＤ；Ｅｌｅｃｔｒｏ  Ｓｔａｔｉｃ  Ｄｉ
ｓｃｈａｒｇｅ）等の要因ともなる。特に、薄膜トランジスタの低消費電力化や動作速度
を向上させるため、ゲート絶縁層の薄膜化が望まれており、ゲート絶縁層を薄く設けた場
合にはシリコン層の端部の被覆不良がより顕著な問題となる。さらに、ゲート絶縁層を薄
膜化していくと静電破壊の問題も深刻となる。
【００１１】
また、島状のシリコン層の端部、特にゲート電極を形成する導電層及びシリコン層が重
畳する領域では、コーナー部（角部）で電界集中によるリーク電流が発生しやすい問題も
ある。
【００１２】
上記のようなシリコン層の端部に起因する問題が生じると、薄膜トランジスタの動作特
性が劣化し、信頼性も低下してしまう。また、半導体装置の製造において歩留まりが低下
し、製造コストの増加につながる。本発明はこのような問題を鑑みてなされたものであり
、信頼性の向上した新規な構造の半導体装置及びその作製方法を提供することを課題とす
る。
【課題を解決するための手段】
【００１３】
本発明の半導体装置の構成は、支持基板上に絶縁層、島状のシリコン層が順に積層され
たＳＯＩ基板と、島状のシリコン層の一表面上及び側面に設けられたゲート絶縁層と、ゲ
ート絶縁層を介して島状のシリコン層上に設けられ、島状のシリコン層を横断するように
設けられたゲート電極と、を有し、ゲート絶縁層は、島状のシリコン層の一表面上と比較
して、島状のシリコン層の側面と接する領域の誘電率が小さいことを特徴とする。
【００１４】
また、本発明の半導体装置の他の構成は、支持基板上に絶縁層、島状のシリコン層が順
に積層されたＳＯＩ基板と、島状のシリコン層の一表面上及び側面に設けられたゲート絶
縁層と、ゲート絶縁層を介して島状のシリコン層上に設けられ、島状のシリコン層を横断
するように設けられたゲート電極と、を有し、ゲート絶縁層は、少なくともゲート電極と
重なる領域において、島状のシリコン層の一表面上と比較して、島状のシリコン層の側面
と接する領域の誘電率が小さいことを特徴とする。
【００１５】
また、本発明の半導体装置の他の構成は、支持基板上に絶縁層、島状のシリコン層が順
に積層されたＳＯＩ基板と、島状のシリコン層の一表面上及び側面に設けられたゲート絶
縁層と、ゲート絶縁層を介して島状のシリコン層上に設けられ、島状のシリコン層を横断
するように設けられたゲート電極と、を有し、ゲート絶縁層は、島状のシリコン層の一表
面上と比較して、島状のシリコン層の側面と接する領域の厚さが厚く、且つ、誘電率が小
さいことを特徴とする。
【００１６】
また、本発明の半導体装置の他の構成は、支持基板上に絶縁層、島状のシリコン層が順
に積層されたＳＯＩ基板と、島状のシリコン層の一表面上及び側面に設けられたゲート絶
縁層と、ゲート絶縁層を介して島状のシリコン層上に設けられ、島状のシリコン層を横断
するように設けられたゲート電極と、を有し、ゲート絶縁層は、少なくともゲート電極と
重なる領域において、島状のシリコン層の一表面上と比較して、島状のシリコン層の側面
と接する領域の厚さが厚く、且つ、誘電率が小さいことを特徴とする。
【００１７】
また、上記構成において、ゲート絶縁層は、島状のシリコン層の側面と接する領域の厚
さが、島状のシリコン層の一表面上の厚さの１倍より大きく３倍以下であることが好まし
い。つまり、ゲート絶縁層は、島状のシリコン層の一表面上の厚さをｔ１、島状のシリコ
ン層の側面と接する領域の厚さをｔ２とし、ｔ１＜ｔ２≦３ｔ１を満たすことが好ましい
。
【００１８】
また、上記構成において、島状のシリコン層の一表面上及び側面に設けられたゲート絶
縁層は、島状のシリコン層の一表面上に接して設けられた第１の絶縁層と、島状のシリコ
ン層の側面と接して設けられた第２の絶縁層と、から形成されていてもよい。
【００１９】
また、上記構成において、島状のシリコン層の一表面上及び側面に設けられたゲート絶
縁層は、島状のシリコン層の一表面上に設けられた第１の絶縁層と、島状のシリコン層の
側面に設けられた第２の絶縁層及び第３の絶縁層と、から形成されていてもよい。
【００２０】
また、上記構成において、島状のシリコン層の端部は、テーパ角が４５°以上９５°未
満であることが好ましい。
【００２１】
また、上記構成において、ＳＯＩ基板はＳＩＭＯＸ（ｓｅｐａｒａｔｉｏｎ  ｂｙ  ｉ
ｍｐｌａｎｔｅｄ  ｏｘｙｇｅｎ）基板を用いてもよいし、貼り合わせ基板を用いてもよ
い。
【００２２】
また、本発明の半導体装置の作製方法の一は、ＳＯＩ基板のシリコン層を島状に形成し
、島状のシリコン層の一表面上及び側面に接して第１の絶縁層を形成し、第１の絶縁層を
島状のシリコン層の一表面が露出するまで選択的に除去して、島状のシリコン層の側面と
接する第２の絶縁層を形成し、島状のシリコン層の一表面及び第２の絶縁層に接して第３
の絶縁層を形成し、第３の絶縁層を介して島状のシリコン層の一表面上に、島状のシリコ
ン層を横断するようにゲート電極層を形成することを特徴とする。
【００２３】
また、上記作製方法において、島状のシリコン層は、端部のテーパ角が４５°以上９５
°未満となるように形成することが好ましい。
【００２４】
また、本発明の半導体装置の作製方法の一は、ＳＯＩ基板のシリコン層を島状に形成し
て第１のシリコン層を形成し、第１のシリコン層の一表面及び側面に接して第１の絶縁層
を形成し、第１の絶縁層を島状の第１のシリコン層の一表面が露出するまで選択的に除去
して、第１のシリコン層の側面と接する第２の絶縁層を形成するとともに、第１のシリコ
ン層の上層に非晶質領域を形成し、第１のシリコン層に形成された非晶質領域を除去して
島状の第２のシリコン層を形成し、第２のシリコン層及び第２の絶縁層に接して第３の絶
縁層を形成し、第３の絶縁層を介して第２のシリコン層の一表面上に、第２のシリコン層
を横断するようにゲート電極層を形成することを特徴とする。
【００２５】
また、本発明の半導体装置の作製方法の一は、ＳＯＩ基板のシリコン層を島状に形成し
て第１のシリコン層を形成し、第１のシリコン層の一表面及び側面に接して第１の絶縁層
を形成し、第１のシリコン層及び第１の絶縁層を垂直方向を主体とした異方性エッチング
により薄膜化して、島状の第２のシリコン層及び第２のシリコン層の側面と接する第２の
絶縁層を形成し、第２のシリコン層及び第２の絶縁層に接して第３の絶縁層を形成し、第
３の絶縁層を介して第２のシリコン層の一表面上に、第２のシリコン層を横断するように
ゲート電極層を形成することを特徴とする。
【００２６】
また、上記作製方法において、第１のシリコン層を膜厚６０ｎｍ乃至７０ｎｍの範囲で
形成し、第２のシリコン層を膜厚２０ｎｍ乃至３０ｎｍの範囲で形成することができる。
【００２７】
また、第２のシリコン層の端部は、テーパ角が４５°以上９５°未満となるように形成
することが好ましい。
【００２８】
また、上記作製方法において、第２の絶縁層及び第３の絶縁層は、ゲート絶縁層として
形成する。また、第２の絶縁層は、第３の絶縁層と比較して誘電率が小さい層を形成する
ことが好ましい。
【００２９】
また、上記作製方法において、ゲート電極層を形成した後、熱処理を行ってもよい。
【００３０】
また、ＳＯＩ基板はＳＩＭＯＸ法で形成される基板を用いてもよいし、貼り合わせ法で
形成される基板を用いてもよい。
【発明の効果】
【００３１】
本発明を適用することで、チャネル形成領域を有するシリコン層の端部に起因する不良
を低減させることができる。よって、シリコン層の端部の特性により半導体装置に及ぼす
影響を低減することができ、信頼性の向上した半導体装置を提供することができる。また
、半導体装置の製造において、歩留まりを向上させることが可能になる。
【図面の簡単な説明】
【００３２】
【図１】本発明に係る半導体装置の主要な構成の例を示す図。
【図２】本発明に係る半導体装置の作製方法の例を示す図。
【図３】本発明に係る半導体装置の作製方法の例を示す図。
【図４】本発明に係る半導体装置の作製方法の例を示す図。
【図５】本発明に係る半導体装置の作製方法の例を示す図。
【図６】本発明に係る半導体装置の作製方法の例を示す図。
【図７】本発明に係る半導体装置の作製方法の例を示す図。
【図８】本発明に係る半導体装置の作製方法の例を示す図。
【図９】本発明に係る半導体装置の作製方法の例を示す図。
【図１０】本発明に係る半導体装置の作製方法の例を示す図。
【図１１】本発明に係る半導体装置の作製方法の例を示す図。
【図１２】従来の半導体装置の構成の例を示す図。
【図１３】本発明に係る半導体装置の作製方法の例を示す図。
【図１４】本発明に係る半導体装置の作製方法の例を示す図。
【図１５】本発明に係る半導体装置の作製方法の例を示す図。
【図１６】本発明に係る半導体装置の構成の例を示す図。
【図１７】本発明に係る半導体装置の構成の例を示す図。
【図１８】プラズマ処理装置の構成の例を示す図。
【図１９】本発明に係る半導体装置の主要な構成の例を示す図。
【図２０】本発明に係る半導体装置の作製方法の例を示す図。
【図２１】本発明に係る半導体装置の作製方法の例を示す図。
【図２２】本発明に係る半導体装置の作製方法の例を示す図。
【図２３】本発明に係る半導体装置の作製方法の例を示す図。
【図２４】本発明に係る半導体装置の作製方法の例を示す図。
【図２５】本発明に係る半導体装置の作製方法の例を示す図。
【図２６】ＳＯＩ基板の作製方法の例を示す図。
【図２７】本発明に係る半導体装置の一例を示すブロック図。
【図２８】本発明に係る半導体装置の使用形態の例を示す図。
【図２９】本発明に係る半導体装置の一例を示す上面図及び断面図。
【図３０】本発明に係る半導体装置に適用できるアンテナを説明する図。
【図３１】本発明に係る半導体装置の一例を示すブロック図及び使用形態の例を示す図。
【発明を実施するための形態】
【００３３】
本発明の実施の形態について、図面を用いて以下に説明する。但し、本発明は以下の説
明に限定されず、本発明の趣旨及びその範囲から逸脱することなく、その形態及び詳細を
様々に変更しうることは、当業者であれば容易に理解される。したがって、本発明は、以
下に示す実施の形態の記載内容に限定して解釈されるものではない。なお、以下に説明す
る本発明の構成において、同じものを指す符号は異なる図面間で共通して用いる場合があ
る。
【００３４】
（実施の形態１）
図１は、本発明に係る半導体装置の主要な構成を説明するための上面図及び断面図であ
る。図１は、特に薄膜トランジスタの構成を示しており、図１（Ａ）は上面図、図１（Ｂ
）は図１（Ａ）における破線Ｏ−Ｐ間の断面図、図１（Ｃ）は図１（Ａ）における破線Ｑ
−Ｒ間の断面図を示している。なお、図１（Ａ）は、一部薄膜等を省略している。
【００３５】
図１に示す薄膜トランジスタ１２０は、ＳＯＩ基板１０５を用いて形成されている。薄
膜トランジスタ１２０は、ＳＯＩ基板１０５のシリコン層１０６と、シリコン層１０６の
側面と接して設けられた絶縁層１０８と、シリコン層１０６の一表面上に設けられた絶縁
層１１０と、該絶縁層１１０を介してシリコン層１０６上に設けられた導電層１１２と、
で構成される。
【００３６】
ＳＯＩ基板１０５は、ＳＩＭＯＸ法や貼り合わせ法で形成した基板を用いる。本実施の
形態では、支持基板１００上に絶縁層１０２、シリコン層１０６が順に形成されたものを
用いる。
【００３７】
シリコン層１０６は、島状に形成されている。また、シリコン層１０６は、ＳＯＩ基板
１０５の表面シリコン層を利用するため、単結晶シリコンで形成される。シリコン層１０
６の膜厚は、１０ｎｍ乃至１５０ｎｍ、好ましくは３０ｎｍ乃至１００ｎｍ、又は１０ｎ
ｍ乃至３０ｎｍの範囲で形成するとよい。
【００３８】
また、シリコン層１０６の端部は垂直形状に近くなるように形成されているのが好まし
い。具体的には、テーパ角が４５°以上９５°未満、好ましくはテーパ角が６０°以上９
５°未満となるように形成されているとよい。シリコン層１０６の端部を垂直に近い形状
とすることで、ゲート電極として機能する導電層１１２とシリコン層１０６の端部が重畳
する領域において、シリコン層１０６の端部と、導電層１１２と、が、シリコン層１０６
の側面と接するゲート絶縁層を介して形成してしまう寄生チャネルを低減することができ
る。これは、シリコン層の端部を垂直に近い形状とすることで、シリコン層の端部を緩や
かなテーパ角（例えば、テーパ角４５°以下）を有するテーパ形状とするよりも、シリコ
ン層全体の面積においてシリコン層の端部が占める面積を減少させることができるためで
ある。なお、寄生チャネルは、チャネル形成領域において、ソース領域とドレイン領域と
を結ぶ方向にほぼ平行に形成されるチャネルに対して垂直又は筋交いに交差する方向で、
且つチャネル形成領域の端部に形成されるチャネルを示す。寄生チャネルが形成されると
リーク電流の発生につながるため、シリコン層の端部を垂直形状に近い形状に加工して寄
生チャネルを防止することは、完成する半導体装置の特性のバラツキを低減し、信頼性を
向上させるのに非常に効果的である。
【００３９】
また、テーパ角とはテーパ形状を有する層において、当該テーパ形状を有する層の側面
と、当該テーパ形状を有する層の底面と、がなす傾斜角を示す。なお、シリコン層１０６
の端部をテーパ角が３０°以上８５°未満、又は４５°以上６０°未満の緩やかなテーパ
形状としてもよい。シリコン層１０６の端部をテーパ形状として、コーナー部（角部）を
緩やかにすることにより、該コーナー部に電界が集中することを緩和することができる。
【００４０】
なお、本明細書において、シリコン層の「端部」とは、島状に形成されたシリコン層の
縁部分（エッジ部分）を示す。シリコン層の「側面」とは、シリコン層の縁部分の面を示
す。
【００４１】
シリコン層１０６は、チャネル形成領域１１４と、ソース領域又はドレイン領域として
機能する不純物領域１１６と、を有する。不純物領域１１６には、一導電型を付与する不
純物元素が添加されている。また、チャネル形成領域１１４に、トランジスタの閾値電圧
を制御するために、一導電型を付与する不純物元素が添加されていてもよい。チャネル形
成領域１１４は、絶縁層１１０を介して導電層１１２と略一致する領域のシリコン層１０
６に形成されており、不純物領域１１６の間に位置するものである。
【００４２】
また、シリコン層１０６に、ＬＤＤ（Ｌｉｇｈｔｌｙ  Ｄｏｐｅｄ  Ｄｒａｉｎ）領域
として機能する低濃度不純物領域を形成してもよい。低濃度不純物領域は、チャネル形成
領域と、ソース領域又はドレイン領域として機能する不純物領域との間に形成することが
できる。また、低濃度不純物領域は、ソース領域又はドレイン領域として機能する不純物
領域と比較して、不純物濃度が低いものとする。
【００４３】
シリコン層１０６の側面と接して絶縁層１０８が形成されている。また、シリコン層１
０６の一表面上及び絶縁層１０８上に、絶縁層１１０が形成されている。絶縁層１０８及
び絶縁層１１０は、薄膜トランジスタ１２０のゲート絶縁層として機能する。すなわち、
本発明に係るゲート絶縁層は、一体物ではなく複数の絶縁層の複合物で構成される。なお
、複数の絶縁層の境界は明確なものでなくともよい。
【００４４】
ゲート絶縁層を、シリコン層１０６の側面と接する絶縁層１０８、並びにシリコン層１
０６の一表面及び絶縁層１０８と接する絶縁層１１０で形成することで、シリコン層１０
６の端部におけるゲート絶縁層の被覆性を良好にすることができる。よって、シリコン層
１０６の端部におけるゲート絶縁層の被覆不良に起因した不良を防止することができる。
【００４５】
また、絶縁層１０８及び絶縁層１１０にて形成されるゲート絶縁層は、シリコン層１０
６の一表面上に形成された領域と比較して、シリコン層１０６の側面と接する領域の膜厚
が厚いことが好ましい。例えば、シリコン層１０６の一表面上からの垂直線とゲート絶縁
層の最表面との交点までの距離を膜厚ｔ１する。シリコン層１０６の側面からの垂直線と
ゲート絶縁層の最表面との交点までの距離を膜厚ｔ２とする。このとき、ゲート絶縁層は
、膜厚ｔ１＜膜厚ｔ２を満たすことが好ましい。例えば、ｔ１＜ｔ２≦３ｔ１を満たすこ
とができる。なお、シリコン層１０６の側面と接する領域の膜厚、例えばシリコン層１０
６の側面からの垂直線とゲート絶縁層の最表面との交点までの距離である膜厚ｔ２は、一
定値であるとは限らない。この場合は、膜厚ｔ１と比較して、膜厚ｔ２の最小値が同じ或
いは膜厚ｔ１より大きいことが好ましい。ゲート絶縁層によりシリコン層１０６の端部を
十分に被覆する、好ましくはシリコン層１０６の側面と接する領域の膜厚を厚くすること
で、シリコン層１０６の端部に掛かる電界を緩和することができ、リーク電流の発生を防
止することができる。
【００４６】
また、絶縁層１０８及び絶縁層１１０にて形成されるゲート絶縁層は、シリコン層１０
６の一表面上に形成された領域と比較して、シリコン層１０６の側面と接する領域の誘電
率が小さいことが好ましい。例えば、絶縁層１１０と比較して、絶縁層１０８の誘電率を
小さくすることで、シリコン層１０６の側面と接する領域のゲート絶縁層の誘電率を小さ
くすることができる。好ましくは、絶縁層１０８を誘電率４以下の低誘電率材料を用いて
形成するとよい。ゲート絶縁層において、シリコン層１０６の一表面上と比較して、シリ
コン層１０６の側面と接する領域の誘電率を小さくすることで、シリコン層１０６の端部
、特にコーナー部（角部）に電界が集中することを緩和できる。その結果、ゲート絶縁層
に局所的に過度な電界が掛かることを防止でき、ゲート絶縁層の絶縁不良を防止すること
ができる。よって半導体装置を歩留まり良く製造することができ、完成する半導体装置の
信頼性を向上させることができる。
【００４７】
なお、ここでは、絶縁層１０８は、島状に形成されたシリコン層１０６の周囲を囲うよ
うに、シリコン層１０６の側面と接して形成されている。また、絶縁層１０８は、シリコ
ン層１０６の上面が露出するように開口部を有しているともいえる。
【００４８】
なお、上述したように、シリコン層を島状に形成した場合は、シリコン層の端部に起因
する様々な不良が生じやすい。なかでも、ゲート電極と重畳するシリコン層の端部、さら
にはゲート電極と重畳するシリコン層の端部に形成されたチャネル形成領域端部（チャネ
ル形成領域とソース領域又はドレイン領域として機能する不純物領域との境界付近）は不
良が生じやすく、静電破壊等の影響も受けやすい。この要因としては、チャネル形成領域
端部及びゲート電極が、両者が重畳する領域においてチャネル形成領域端部（シリコン層
の端部）の側面と接するゲート絶縁層を介して寄生チャネルを形成しやすいこと、チャネ
ル形成領域において中央付近と比較して端部（ソース領域又はドレイン領域として機能す
る不純物領域との境界付近）に高い電圧が加わること、上層に形成されるゲート電極層（
導電層）を加工する際にエッチング等の影響を受けること、シリコン層の端部においてゲ
ート絶縁層が局所的に薄くなること等が挙げられる。したがって、少なくともゲート電極
層とシリコン層との端部が重畳する領域において、シリコン層の側面と接して絶縁層を形
成することで、絶縁破壊や静電破壊、リーク電流等の不良を低減することが可能である。
例えば、図１６（Ａ）乃至（Ｃ）に示すように、島状に形成されたシリコン層１０６の端
部とゲート電極として機能する導電層１１２が重畳する領域において、シリコン層１０６
の側面と接する絶縁層２０８が形成されていればよい。図１６（Ａ）は上面図を示し、図
１６（Ｂ）は図１６（Ａ）における破線Ｏ−Ｐ間の断面図、図１６（Ｃ）は図１６（Ａ）
における破線Ｑ−Ｒ間の断面図に相当する。ここでは、絶縁層２０８は、導電層１１２と
シリコン層１０６の端部が重畳する領域及びその近傍のみに形成されている。よって、図
１６（Ｂ）ではシリコン層１０６の側面に絶縁層２０８が形成されておらず、図１６（Ｃ
）ではシリコン層１０６の側面と接して絶縁層２０８が形成されている。
【００４９】
図１６（Ａ）乃至（Ｃ）に示すように、少なくとも、ゲート電極として機能する導電層
とシリコン層の端部とが重畳する領域においてシリコン層の側面と接する絶縁層を形成す
ることで、シリコン層の端部及びゲート電極として機能する導電層との短絡を防止するこ
とができる。例えば、図１７に示すように、シリコン層１０６下の絶縁層１０２が、シリ
コン層１０６の端部付近で除去されていても、シリコン層１０６の側面と接する絶縁層２
１８を形成することで、シリコン層１０６の端部を十分に被覆することができる。特に、
本発明を適用してゲート絶縁層の被覆性を向上させることは、ゲート絶縁層の膜厚が数ｎ
ｍ乃至数１０ｎｍの範囲で、シリコン層の膜厚よりも薄い場合に効果的である。また、本
発明を適用することでシリコン層の端部に電界が集中することを緩和することができ、リ
ーク電流を防止・低減することができる。特に、ゲート絶縁層において、シリコン層の一
表面上と比較してシリコン層の側面と接する領域の誘電率を小さくすることで、局所的に
電界が掛かることを緩和できるため、効果的である。以上のように、シリコン層の側面、
特にゲート電極として機能する導電層とシリコン層の端部とが重畳する領域におけるシリ
コン層の側面と接して絶縁層を形成することで、完成する半導体装置の信頼性、及び動作
特性を高めることができる。
【００５０】
絶縁層１０８及び絶縁層１１０は、酸化シリコン、窒化シリコン、酸化窒化シリコン、
窒化酸化シリコン、窒化アルミニウム、ＳｉＯＦ（フッ素含有酸化シリコン）、ＳｉＯＣ
（炭素含有酸化シリコン）、ＤＬＣ（ダイヤモンドライクカーボン）、ポーラスシリカ等
の材料を用いて、単層構造、又は積層構造で形成することができる。また、絶縁層１０８
及び絶縁層１１０は同じ材料を用いて形成してもよいし、異なる材料を用いて形成しても
よい。本実施の形態では、絶縁層１０８は酸化シリコン層を用いて形成し、絶縁層１１０
は窒化シリコン層で形成する。
【００５１】
なお、絶縁層１０８は、絶縁層１１０と比較して誘電率が小さい材料を用いて形成する
のが好ましい。また、絶縁層１０８は、ＳｉＯＦ、ＳｉＯＣ、ＤＬＣ、ポーラスシリカ等
の誘電率がおよそ４以下の低誘電率材料を用いて形成することが好ましい。なお、誘電率
４以下の低誘電率材料はｌｏｗ−ｋ材料ともいわれ、ｌｏｗ−ｋ材料を用いて作製される
膜はｌｏｗ−ｋ膜といわれている。このように、絶縁層１１０と比較して誘電率が小さい
材料を用いて絶縁層１０８を形成することで、シリコン層の一表面上と比較して、シリコ
ン層の側面と接する領域のゲート絶縁層の誘電率を小さくすることができる。
【００５２】
絶縁層１１０を介してシリコン層１０６上にゲート電極として機能する導電層１１２が
形成されている。導電層１１２は、タンタル（Ｔａ）、タングステン（Ｗ）、チタン（Ｔ
ｉ）、モリブデン（Ｍｏ）、クロム（Ｃｒ）、アルミニウム（Ａｌ）、銅（Ｃｕ）、又は
ニオブ（Ｎｂ）等の金属元素、又は当該金属元素を含む合金材料若しくは化合物材料を用
いて形成することができる。化合物材料としては、窒素化合物、酸素化合物、炭素化合物
、ハロゲン化合物などを用いることができ、具体的には窒化タングステン、窒化チタン、
窒化アルミニウム等が挙げられる。導電層１１２は、これらの材料のうち１つ又は複数を
用いて、単層構造、又は積層構造で形成する。また、導電層１１２は、リン等の一導電型
を付与する不純物元素を添加した多結晶シリコンを用いて形成してもよい。
【００５３】
次に、図１に示す薄膜トランジスタ１２０の作製方法について、図２を用いて具体的に
説明する。
【００５４】
まず、ＳＯＩ基板１０５を準備する。ここでは、支持基板１００上に絶縁層１０２、シ
リコン層１０４が順に積層形成されたものを用いる（図２（Ａ１）、（Ａ２）参照）。
【００５５】
本発明には、公知のＳＯＩ基板を用いることができ、その作製方法や構造は特に限定さ
れるものではない。ＳＯＩ基板としては、代表的にはＳＩＭＯＸ基板や貼り合わせ基板が
挙げられる。また、貼り合わせ基板の例として、ＥＬＴＲＡＮ（登録商標）、ＵＮＩＢＯ
ＮＤ（登録商標）、等が挙げられる。
【００５６】
例えば、ＳＩＭＯＸ基板は、単結晶シリコン基板１１に酸素イオン１２を注入し、１３
００℃以上で熱処理して埋め込み酸化膜（ＢＯＸ；Ｂｕｒｉｅｄ  Ｏｘｉｄｅ）層１４を
形成することにより、表面に薄膜シリコン層１６を形成し、ＳＯＩ構造を得ることができ
る。薄膜シリコン層１６は、埋め込み酸化膜層１４により、単結晶シリコン基板１１と絶
縁分離されている（図２６（Ａ）、（Ｂ）参照）。また、埋め込み酸化膜層形成後に、さ
らに熱酸化するＩＴＯＸ（Ｉｎｔｅｒｎａｌ  Ｔｈｅｒｍａｌ  Ｏｘｉｄａｔｉｏｎ））
と呼ばれる技術を用いることもできる。
【００５７】
一方、貼り合わせ基板は、酸化膜層２２を介して２枚の単結晶シリコン基板（第１単結
晶シリコン基板２０、第２単結晶シリコン基板２４）を貼り合わせ、一方の単結晶シリコ
ン基板を貼り合わせた面ではない方の面から薄膜化することにより、表面に薄膜シリコン
層２６を形成し、ＳＯＩ構造を得ることができる。酸化膜層２２は、一方の基板（ここで
は第１単結晶シリコン基板２０）を熱酸化して形成することができる。また、２枚の単結
晶シリコン基板は、接着剤なしで直接貼り合わせることができる。例えば、第１単結晶シ
リコン基板２０を熱処理して酸化膜層２２を形成した後、第２単結晶シリコン基板２４と
重ね合わせ、８００℃以上、好ましくは１１００℃程度で熱処理することにより、貼り合
わせ界面での化学結合により、２枚の基板を接着することができる。その後、第２単結晶
シリコン基板２４を、接着されていない方の面から研磨して所望の厚さの薄膜シリコン層
２６を形成することができる（図２６（Ｃ）、（Ｄ）、（Ｅ）参照）。なお、貼り合わせ
後に第２単結晶シリコン基板２４を研磨せずに、第２単結晶シリコン基板２４の所定の深
さの領域に水素イオン注入して微小ボイドを形成し、当該微小ボイドの熱処理による成長
を利用して基板を劈開するＳｍａｒｔ−Ｃｕｔ（登録商標）法と呼ばれる技術を用いるこ
ともできる。また、第２単結晶シリコン基板を研磨後、小型のプラズマエッチング装置で
局所的に制御しながら基板をエッチングして薄膜化するＰＡＣＥ（Ｐｌａｓｍａ  Ａｓｓ
ｉｓｔｅｄ  Ｃｈｅｍｉｃａｌ  Ｅｔｃｈｉｎｇ）と呼ばれる技術を用いることもできる
。
【００５８】
本実施の形態で示すＳＯＩ基板１０５において、支持基板１００は図２６に示す単結晶
シリコン基板に相当し、絶縁層１０２は埋め込み酸化膜層又は酸化膜層に相当し、シリコ
ン層１０４は表面に形成される薄膜シリコン層に相当する。
【００５９】
シリコン層１０４は、ＳＯＩ基板１０５の表面シリコン層であり、単結晶シリコン層で
ある。ＳＯＩ基板１０５の表面シリコン層の膜厚は、ＳＯＩ基板１０５の作製時に研磨量
、イオン注入の深さ等の条件を制御することによって、適宜選択することができる。例え
ば、膜厚４０ｎｍ乃至２００ｎｍの範囲の表面シリコン層を形成することができる。本実
施の形態では、シリコン層は、膜厚膜厚１０ｎｍ乃至１５０ｎｍの範囲、好ましくは３０
ｎｍ乃至１００ｎｍ、又は１０ｎｍ乃至３０ｎｍの範囲で形成する。
【００６０】
次に、シリコン層１０４を選択的にエッチングして、島状のシリコン層１０６を形成す
る（図２（Ｂ１）、（Ｂ２）参照）。このとき、シリコン層１０６は、端部が垂直形状と
なるように形成してもよいし、端部がテーパ形状となるように形成してもよい。シリコン
層１０６の端部の形状は、エッチング条件等を変化させることにより、適宜選択すること
ができる。好ましくはシリコン層１０６の端部をテーパ角が４５°以上９５°未満、より
好ましくはテーパ角が６０°以上９５°未満となるように形成するとよい。シリコン層１
０６の端部を垂直に近い形状とすることで寄生チャネルを低減することができる。
【００６１】
次に、シリコン層１０６を覆うように絶縁層１０７（以下、第１の絶縁層１０７ともい
う）を形成する（図２（Ｃ１）、（Ｃ２）参照）。第１の絶縁層１０７は、ＣＶＤ法やス
パッタリング法を用いて、酸化シリコン、窒化シリコン、酸化窒化シリコン、窒化酸化シ
リコン、ＳｉＯＦ、ＳｉＯＣ、ＤＬＣ、ポーラスシリカ等の材料を用いて形成する。
【００６２】
第１の絶縁層１０７は、シリコン層１０６の端部を十分に被覆できる膜厚で形成する。
第１の絶縁層１０７の膜厚は、下層に形成されているシリコン層１０６の膜厚の１．５倍
乃至３倍の範囲の厚さで形成するのが好ましい。
【００６３】
次に、第１の絶縁層１０７を、垂直方向を主体とした異方性エッチングを行うことによ
り選択的にエッチングし、シリコン層１０６の側面と接する絶縁層１０８（以下、第２の
絶縁層１０８ともいう）を形成する（図３（Ａ１）、（Ａ２）参照）。
【００６４】
第１の絶縁層１０７を、垂直方向を主体として異方性のエッチングを行っていくと、シ
リコン層１０６の一表面上および絶縁層１０２上に形成されている第１の絶縁層１０７か
ら徐々にエッチングされていく。なお、シリコン層１０６の一表面上及び絶縁層１０２上
には、ほぼ同じ膜厚の第１の絶縁層１０７が形成されている。よって、シリコン層１０６
の一表面が露出したところでエッチングを停止させることにより、シリコン層１０６の側
面と接する領域及びその付近のみに第１の絶縁層１０７を残すことができる。残存する第
１の絶縁層１０７は、第２の絶縁層１０８に相当する。なお、シリコン層１０６の端部を
垂直形状に近い形状としておくことで、シリコン層１０６の側面と接する領域及びその付
近のみに第１の絶縁層１０７を残すことが容易になる。つまり、第２の絶縁層１０８を容
易に形成することができる。
【００６５】
第１の絶縁層１０７のエッチング方法は、垂直方向を主体とした異方性エッチングを行
えるものであれば特に限定されない。例えば、反応性イオンエッチング（ＲＩＥ：Ｒｅａ
ｃｔｉｖｅ  Ｉｏｎ  Ｅｔｃｈｉｎｇ）を利用することができる。また、反応性イオンエ
ッチングは、プラズマ発生法により、平行平板方式、マグネトロン方式、２周波方式、Ｅ
ＣＲ方式、ヘリコン方式、ＩＣＰ方式などに分類される。このとき用いるエッチングガス
は、第１の絶縁層１０７と、それ以外の層（シリコン層１０６）とでエッチング選択比が
高く取れるものを選択すればよい。絶縁層を選択的にエッチングする際には、例えば、Ｃ
ＨＦ３、ＣＦ４、Ｃ４Ｆ８、Ｃ２Ｆ６、ＮＦ３等のフッ素系のガスを用いることができる
。その他、ＨｅやＡｒやＸｅなどの不活性ガス、又はＯ２ガス、Ｈ２ガスを適宜加えても
よい。
【００６６】
第２の絶縁層１０８の形状は、薄膜を形成する材料、エッチング条件等を適宜選択する
ことにより変更することができる。本実施の形態では、第２の絶縁層１０８は、底面（絶
縁層１０２と接する面）からの垂直方向の高さがシリコン層１０６と略一致するように形
成している。また、第２の絶縁層１０８は、シリコン層１０６の側面と接しない面を湾曲
状に形成している。具体的には、任意の曲率を有し、接するシリコン層１０６の側面に対
して凸形状に湾曲するように形成している。もちろん、本発明は特に限定されず、第２の
絶縁層１０８は丸みを帯びた形状でなく、角を有する形状としてもよい。好ましくは、第
２の絶縁層１０８のコーナー部を緩やかな形状とすると、上層に積層される層（ここでは
、絶縁層１１０）の被覆性を良好にすることができる。なお、エッチング条件とは、エッ
チングガスの種類、各ガスの流量比の他、基板を載置した電極に印加される電力量、基板
が載置した電極の電極温度、チャンバー内圧力等を示す。
【００６７】
次に、シリコン層１０６及び第２の絶縁層１０８上に絶縁層１１０（以下、第３の絶縁
層１１０ともいう）を形成する（図３（Ｂ１）、（Ｂ２）参照）。第３の絶縁層１１０は
、ＣＶＤ法やスパッタリング法により、酸化シリコン、窒化シリコン、酸化窒化シリコン
、窒化酸化シリコン、窒化アルミニウム等の材料を用いて形成する。また、第３の絶縁層
１１０は、これらの材料のうち１つ又は複数を用いて、単層構造又は積層構造で形成する
。第３の絶縁層１１０は、膜厚１ｎｍ乃至５０ｎｍ、好ましくは膜厚１ｎｍ乃至２０ｎｍ
、より好ましくは１ｎｍ乃至１０ｎｍの範囲で形成する。本実施の形態では、第３の絶縁
層１１０として酸化窒化シリコン層を膜厚２０ｎｍで形成する。
【００６８】
また、第３の絶縁層１１０は、プラズマ処理による固相酸化若しくは固相窒化で形成す
ることもできる。例えば、シリコン層１０６及び第２の絶縁層１０８を、プラズマ処理に
より酸化又は窒化して、第３の絶縁層１１０を形成することができる。
【００６９】
プラズマ処理による固相酸化処理若しくは固相窒化処理は、マイクロ波（代表的には２
．４５ＧＨｚ）等の高周波で励起され、電子密度が１×１０１１ｃｍ−３以上１×１０１
３ｃｍ−３以下、且つ電子温度が０．５ｅＶ以上１．５ｅＶ以下のプラズマを利用して行
うことが好ましい。固相酸化処理若しくは固相窒化処理において、５００℃以下の温度に
おいて、緻密な絶縁層を形成すると共に実用的な反応速度を得るためである。
【００７０】
プラズマ処理によりシリコン層１０６及び第２の絶縁層１０８の表面を酸化する場合に
は、酸素を含む雰囲気下（例えば、酸素（Ｏ２）、オゾン（Ｏ３）、亜酸化窒素（Ｎ２Ｏ
）、一酸化窒素（ＮＯ）若しくは二酸化窒素（ＮＯ２）、及び希ガス（ヘリウム（Ｈｅ）
、ネオン（Ｎｅ）、アルゴン（Ａｒ）、クリプトン（Ｋｒ）、キセノン（Ｘｅ）の少なく
とも１つを含む）を含む雰囲気下、又は酸素（Ｏ２）、オゾン（Ｏ３）、亜酸化窒素（Ｎ
２Ｏ）、一酸化窒素（ＮＯ）若しくは二酸化窒素（ＮＯ２）と、水素（Ｈ２）と、希ガス
と、を含む雰囲気下）で行う。また、プラズマ処理によりシリコン層１０６及び絶縁層１
０８の表面を窒化する場合には、窒素を含む雰囲気下（例えば、窒素（Ｎ２）と希ガス（
Ｈｅ、Ｎｅ、Ａｒ、Ｋｒ、Ｘｅの少なくとも一つを含む）を含む雰囲気下、窒素と水素と
希ガスを含む雰囲気下、又はＮＨ３と希ガスを含む雰囲気下）でプラズマ処理を行う。希
ガスとしては、例えばＡｒを用いることが好ましい。また、ＡｒとＫｒを混合したガスを
用いてもよい。
【００７１】
ここで、プラズマ処理を行うためのプラズマ処理装置１０８０の構成例を図１８に示す
。当該プラズマ処理装置１０８０は、支持台１０８８と、ガスを供給するためのガス供給
部１０８４、ガスを排気するために真空ポンプに接続する排気口１０８６、アンテナ１０
９８、誘電体板１０８２、プラズマ発生用の高周波を入力する高周波供給部１０９２を有
している。被処理体１０１０は、支持台１０８８によって保持される。また、支持台１０
８８に温度制御部１０９０を設けることによって、被処理体１０１０の温度を制御するこ
とも可能である。被処理体１０１０は、プラズマ処理をする基体であり、本実施の形態で
は支持基板１００上に絶縁層１０２、島状のシリコン層１０６を順に形成した積層体に相
当する。
【００７２】
以下、図１８に示すプラズマ処理装置１０８０を用いてシリコン層表面に絶縁層を形成
する具体例を述べる。なお、プラズマ処理とは、基板、シリコン層、絶縁層、導電層に対
する酸化処理、窒化処理、酸化窒化処理、水素化処理、表面改質処理を範疇に含んでいる
。これらの処理は、その目的に応じて、ガス供給部１０８４から供給するガスを選択すれ
ば良い。
【００７３】
まず、図１８に示すプラズマ処理装置１０８０の処理室内を真空にする。そして、ガス
供給部１０８４から希ガス、酸素又は窒素を含むガスを供給する。被処理体１０１０は室
温、若しくは温度制御部１０９０により１００℃以上５５０℃以下の範囲で加熱する。被
処理体１０１０と誘電体板１０８２との間隔（以下、電極間隔ともいう）は、２０ｍｍ以
上２００ｍｍ以下（好ましくは２０ｍｍ以上６０ｍｍ以下）程度である。
【００７４】
次に、高周波供給部１０９２からアンテナ１０９８に高周波を入力する。ここでは、高
周波としてマイクロ波（周波数２．４５ＧＨｚ）を入力する。そしてマイクロ波をアンテ
ナ１０９８から誘電体板１０８２を通して処理室内に入力することによって、プラズマ１
０９４を生成し、当該プラズマ１０９４によって酸素ラジカル（ＯＨラジカルを含む場合
もある）又は窒素ラジカル（ＮＨラジカルを含む場合もある）を生成する。このとき、プ
ラズマ１０９４は、供給されたガスによって生成される。
【００７５】
マイクロ波の入力によりプラズマ１０９４を生成すると、低電子温度（３ｅＶ以下、好
ましくは１．５ｅＶ以下）で高電子密度（１×１０１１ｃｍ−３以上）のプラズマを生成
することができる。具体的には、電子温度が０．５ｅＶ以上１．５ｅＶ以下、且つ電子密
度が１×１０１１ｃｍ−３以上１×１０１３ｃｍ−３以下のプラズマ生成することが好ま
しい。なお、本明細書では、マイクロ波の入力により生成された低電子温度で高電子密度
のプラズマを高密度プラズマともいう。また、高密度プラズマを利用してプラズマ処理を
行うことを高密度プラズマ処理ともいう。
【００７６】
プラズマ１０９４により生成された酸素ラジカル（ＯＨラジカルを含む場合もある）又
は窒素ラジカル（ＮＨラジカルを含む場合もある）によって、被処理体１０１０に形成さ
れたシリコン層の表面が酸化又は窒化されて絶縁層が形成される。このとき、供給するガ
スにアルゴンなどの希ガスを混合させると、希ガスの励起種により酸素ラジカルや窒素ラ
ジカルを効率良く生成することができる。なお。供給ガスに希ガスを用いる場合、形成さ
れた絶縁層に希ガスが含まれる場合がある。プラズマで励起した活性なラジカルを有効に
使うことにより、５００℃以下の低温で固相反応による酸化、窒化を行うことができる。
【００７７】
図１８に示す装置を用いた高密度プラズマ処理により形成される好適な第３の絶縁層１
１０の一例は、酸素を含む雰囲気下のプラズマ処理によりシリコン層１０６の一表面上に
３ｎｍ乃至６ｎｍの厚さで酸化シリコン層を形成し、その後窒素を含む雰囲気下でその酸
化シリコン層の表面を窒化プラズマで処理した窒素プラズマ処理層を形成する。具体的に
は、まず、酸素を含む雰囲気下でのプラズマ処理によりシリコン層１０６の一表面上に３
ｎｍ乃至６ｎｍの厚さで酸化シリコン層を形成する。その後、続けて窒素を含む雰囲気下
でプラズマ処理を行うことにより酸化シリコン層の表面又は表面近傍に窒素濃度の高い窒
素プラズマ処理層を設ける。なお、表面近傍とは、酸化シリコン層の表面から概略０．５
ｎｍ乃至１．５ｎｍの範囲の深さをいう。例えば、窒素を含む雰囲気下でプラズマ処理を
行うことによって、酸化シリコン層の表面から垂直方向に概略１ｎｍの深さに窒素を２０
原子％乃至５０原子％の割合で含有した構造となる。また、高密度プラズマ処理により絶
縁層１０８、絶縁層１０２の表面も酸化又は窒化することができる。
【００７８】
例えば、単結晶シリコンであるシリコン層１０６の表面をプラズマ処理で酸化すること
で、界面に歪みのない緻密な酸化層を形成することができる。また、当該酸化層をプラズ
マ処理で窒化することで、表層部の酸素を窒素に置換して窒化層を形成すると、さらに緻
密化することができる。それにより絶縁耐圧が高い絶縁層を形成することができる。
【００７９】
いずれにしても、上記のようなプラズマ処理による固相酸化処理若しくは固相窒化処理
を用いることで、９５０℃乃至１０５０℃の範囲で形成される熱酸化膜と同等な絶縁層を
得ることができる。すなわち、半導体素子、特に薄膜トランジスタや不揮発性記憶素子の
ゲート絶縁膜として機能する絶縁層として信頼性の高い絶縁層を形成することができる。
【００８０】
次に、第３の絶縁層１１０を介してシリコン層１０６上にゲート電極として機能する導
電層１１２を形成する（図３（Ｃ１）、（Ｃ２）参照）。導電層１１２は、タンタル（Ｔ
ａ）、タングステン（Ｗ）、チタン（Ｔｉ）、モリブデン（Ｍｏ）、クロム（Ｃｒ）、ア
ルミニウム（Ａｌ）、銅（Ｃｕ）、又はニオブ（Ｎｂ）等の金属元素、又は当該金属元素
を含む合金材料若しくは化合物材料を用いて形成することができる。また、リン等の一導
電型を付与する不純物元素が添加された多結晶シリコンに代表される半導体材料を用いて
形成することもできる。導電層１１２は、これらの材料を用いてＣＶＤ法やスパッタリン
グ法により全面に形成した後、選択的にエッチングして所望の形状に加工することができ
る。また、導電層１１２は、単層構造でもよいし積層構造としてもよい。導電層１１２は
、膜厚１００ｎｍ乃至１０００ｎｍ、好ましくは膜厚２００ｎｍ乃至８００ｎｍ、より好
ましくは３００ｎｍ乃至５００ｎｍの範囲で形成する。
【００８１】
次に、シリコン層１０６に対して一導電型を付与する不純物元素を選択的に添加し、チ
ャネル形成領域１１４と、ソース領域又はドレイン領域として機能する不純物領域１１６
を形成する。ここでは、導電層１１２をマスクとして、一導電型を付与する不純物元素を
添加する。一導電型を付与する不純物元素としては、ボロン（Ｂ）、アルミニウム（Ａｌ
）、ガリウム（Ｇａ）等のｐ型を付与する元素、リン（Ｐ）、ヒ素（Ａｓ）等のｎ型を付
与する元素を用いることができる。
【００８２】
なお、シリコン層１０６に一導電型を付与する不純物元素を添加した後、熱処理を行う
ことにより、添加した不純物元素を活性化することが好ましい。熱処理は、レーザビーム
の照射、又はＲＴＡ若しくはファーネスアニール炉を用いて行うことができる。具体的に
は、４００℃乃至７００℃、好ましくは５００℃乃至５５０℃の温度範囲で熱処理を行う
とよい。また、熱処理は窒素雰囲気下で行うことが好ましい。例えば、５５０℃４時間の
加熱を行うことにより、活性化を行うことができる。また、第１の絶縁層１０７を選択的
にエッチングして第２の絶縁層１０８を形成する際、エッチング条件やそれぞれの薄膜を
形成する材料や膜厚等により、シリコン層１０６の一部が非晶質化する場合がある。この
場合、熱処理を行うことにより、活性化とともにシリコン層の再結晶化を行うことができ
る。
【００８３】
以上により、本発明を適用した薄膜トランジスタ１２０を形成することができる。なお
、本実施の形態で示したＴＦＴの構造は一例であり、図示した構造に限定されるものでは
ない。例えば、直列に接続された少なくとも２つ以上のチャネル形成領域を含んだシリコ
ン層と、それぞれのチャネル形成領域に電界を印加する少なくとも２つ以上のゲート電極
層と、を有するマルチゲート構造を用いてもよい。また、ＴＦＴのシリコン層にＬＤＤ領
域を形成してもよい。
【００８４】
また、本実施の形態ではゲート電極として単層の導電層を形成する例を示したが、本発
明は特に限定されるものではない。ゲート電極の側面をテーパ形状にしてもよいし、ゲー
ト電極を２層以上の導電層の積層構造としてもよい。また、ゲート電極を２層の導電層の
積層構造として各層でテーパ角度が異なるようにしてもよい。また、ゲート電極として機
能する導電層の側面に接して、サイドウォールともいわれる絶縁層を形成してもよい。
【００８５】
本発明を適用して作製した薄膜トランジスタは、島状のシリコン層の端部に起因する不
良を低減させることができる。よって、信頼性の高い半導体装置を作製することができる
。また、半導体装置を歩留まり良く製造することも可能になる。
【００８６】
なお、本実施の形態は、本明細書で示す他の実施の形態と、適宜組み合わせることがで
きる。
【００８７】
（実施の形態２）
本実施の形態では、上記実施の形態１と異なる作製方法で半導体装置を作製する例につ
いて、図４乃至図６を用いて説明する。
【００８８】
図４（Ａ）は、本発明に係る半導体装置の主要な構成を説明するための上面図である。
なお、図４（Ａ）は、一部薄膜等を省略している。
【００８９】
図４（Ａ）に示す半導体装置は、ＳＯＩ基板を用いて薄膜トランジスタが形成されてい
る。ＳＯＩ基板の表面シリコン層は島状に形成されており、島状のシリコン層３１３を横
断するように、ゲート電極を形成する導電層３１４が設けられている。また、島状のシリ
コン層３１３の側面と接して絶縁層３１０が設けられている。ここでは、島状のシリコン
層３１３の全周囲を囲うように絶縁層３１０を設ける例を図示しているが、少なくとも導
電層３１４及びシリコン層３１３が重畳する領域に島状のシリコン層３１３の側面と接す
る絶縁層を設ければよい。もちろん、導電層３１４及びシリコン層３１３が重畳する領域
及びその近傍に、島状のシリコン層３１３の側面と接する絶縁層を設けてもよい。
【００９０】
シリコン層３１３には、チャネル形成領域と、ＬＤＤ領域として機能する一対の低濃度
不純物領域３１７と、ソース領域又はドレイン領域として機能する一対の高濃度不純物領
域３１８が形成されている。チャネル形成領域は、導電層３１４と略一致する領域のシリ
コン層３１３に形成されており、一対の高濃度不純物領域３１８の間に位置する。また、
チャネル形成領域と高濃度不純物領域３１８の間に、低濃度不純物領域３１７が形成され
ている。
【００９１】
次に、図４（Ａ）に示す半導体装置の作製方法について説明する。ここでは、図４（Ａ
）における破線Ｏ−Ｐ間の断面図、及び破線Ｑ−Ｒ間の断面図を用いて、具体的に説明す
る。
【００９２】
まず、支持基板３００上に絶縁層３０２、第１のシリコン層３０６が順に積層形成され
たＳＯＩ基板３０５を準備する（図４（Ｂ１）、（Ｂ２）参照）。次に、第１のシリコン
層３０６を覆うように第１の絶縁層３０８を形成する（図４（Ｃ１）、（Ｃ２）参照）。
なお、第１の絶縁層３０８を形成するまでは、上記実施の形態１で示したＳＯＩ基板１０
５、絶縁層１０７の説明に準じるため、簡略して説明する。
【００９３】
ＳＯＩ基板３０５は、ＳＩＭＯＸ基板や貼り合わせ基板等の公知のＳＯＩ基板を用いる
ことができる。ＳＯＩ基板３０５の表面シリコン層を選択的にエッチングして、島状の第
１のシリコン層３０６を形成する。第１のシリコン層３０６の膜厚は、１０ｎｍ乃至１５
０ｎｍ、好ましくは３０ｎｍ乃至１００ｎｍ又は１０ｎｍ乃至３０ｎｍの範囲で形成する
とよい。また、第１のシリコン層３０６の端部は垂直形状となるように形成してもよいし
、端部がテーパ形状となるように形成してもよい。本実施の形態では、テーパ角が４５°
以上９５°未満、より好ましくはテーパ角が６０°以上９５°未満と垂直形状に近くなる
ように形成する。第１のシリコン層３０６の端部のテーパを急峻にすることで、後に完成
する半導体装置の寄生チャネルを低減することができる。なお、本発明は特に限定されず
、第１のシリコン層３０６の端部をテーパ角が３０°以上８５°未満、又は４５°以上６
０°未満の緩やかなテーパ形状としてもよい。
【００９４】
第１の絶縁層３０８は、ＣＶＤ法やスパッタリング法により、酸化シリコン、窒化シリ
コン、酸化窒化シリコン、窒化酸化シリコン、窒化アルミニウム、ＳｉＯＦ、ＳｉＯＣ、
ＤＬＣ、ポーラスシリカ等の材料を用いて形成する。また、第１の絶縁層３０８は、少な
くとも第１のシリコン層３０６の端部を十分に被覆できる膜厚で形成する。第１の絶縁層
３０８は、第１のシリコン層３０６と比較して１．５倍乃至３倍の膜厚で形成するのが好
ましい。
【００９５】
また、第１の絶縁層３０８は、後にシリコン層の一表面上に形成する絶縁層３１２と比
較して誘電率が小さい材料を用いて形成するのが好ましい。第１の絶縁層３０８は、後に
完成する半導体装置においてシリコン層の側面と接する領域のゲート絶縁層を形成する。
シリコン層を島状に形成した場合は、シリコン層の端部、特にコーナー部（角部）におい
て電界が集中しやすい。シリコン層の端部に電界が集中すると、ゲート絶縁層の絶縁破壊
やリーク電流の発生等の絶縁不良が起きやすくなる。そのため、シリコン層の側面と接す
る第１の絶縁層３０８を、後にシリコン層の一表面上に形成する絶縁層と比較して低い誘
電率材料を用いて形成することで、局所的に過度な電界等のストレスがゲート絶縁層に加
わることを防止できるため好ましい。
【００９６】
次に、第１の絶縁層３０８を、垂直方向を主体とした異方性エッチングを行うことによ
り選択的にエッチングして、第１のシリコン層３０６の側面と接する第２の絶縁層３１０
を形成する。このとき、第１のシリコン層３０６の上層部が非晶質化して非晶質領域３１
１が形成される（図５（Ａ１）、（Ａ２）参照）。
【００９７】
例えば、第１の絶縁層３０８として窒化酸化シリコン層を形成する。絶縁層３０２は酸
化シリコン層とし、第１のシリコン層３０６は単結晶シリコン層とする。次に、垂直方向
を主体とした異方性のドライエッチングで第１の絶縁層３０８をエッチングしていく。エ
ッチングは、第１のシリコン層３０６の一表面上及び絶縁層３０２の一表面上に形成され
ている第１の絶縁層３０８から進行していく。なお、第１のシリコン層３０６の一表面上
及び絶縁層３０２上には、ほぼ同じ膜厚で第１の絶縁層３０８が形成されている。よって
、第１のシリコン層３０６の一表面が露出したところでエッチングを停止させることによ
り、第１のシリコン層３０６の側面と接する領域及びその付近のみに第１の絶縁層３０８
を残すことができる。残存する第１の絶縁層３０８は、第２の絶縁層３１０に相当する。
なお、第１のシリコン層３０６の端部を垂直形状に近い形状とする場合は、第１のシリコ
ン層３０６の側面と接する領域及びその付近のみに、第２の絶縁層３１０を容易に形成す
ることができる。また、本実施の形態では、第２の絶縁層３１０は、第１のシリコン層３
０６と比較して、底面（絶縁層３０２と接する面）からの垂直方向の高さが略一致するよ
うに形成する。また、第２の絶縁層３１０は、第１のシリコン層３０６の側面と接しない
面を、第１のシリコン層３０６の側面に対して凸形状に湾曲するように形成している。も
ちろん、本発明は特に限定されず、第２の絶縁層３１０は丸みを帯びた形状でなく、角を
有する形状としてもよい。好ましくは、第２の絶縁層３１０のコーナー部を緩やかな形状
とすることで、上層に積層される層（ここでは、絶縁層３１２）の被覆性を良好にするこ
とができる。
【００９８】
第１の絶縁層３０８のエッチング方法は、垂直方向を主体とした異方性エッチングを行
えるものであれば特に限定されない。例えば、平行平板方式、マグネトロン方式、２周波
方式、ＥＣＲ方式、ヘリコン方式、又はＩＣＰ方式などの反応性イオンエッチングを用い
ることができる。エッチングガスは、第１の絶縁層３０８と、それ以外の層（第１のシリ
コン層３０６）とでエッチング選択比が高く取れるものを適宜選択すればよい。例えば、
ＣＨＦ３、ＣＦ４、Ｃ４Ｆ８、Ｃ２Ｆ６、ＮＦ３等のフッ素系のガスを用いることにより
、絶縁層を選択的にエッチングすることが可能である。その他、ＨｅやＡｒやＸｅなどの
不活性ガス、又はＯ２ガス、Ｈ２ガスを適宜加えてもよい。なお、エッチング条件を適宜
変更することにより、第２の絶縁層３１０の形状を制御することができる。本実施の形態
では、第１の絶縁層３０８のエッチングは、ＩＣＰ方式の反応性イオンエッチングにより
、エッチングガスとしてＣＨＦ３ガスおよびＨｅガスを用いて行う。
【００９９】
非晶質領域３１１は、第１の絶縁層３０８を異方性ドライエッチングする際に、プラズ
マ等のエネルギーの影響により第１のシリコン層３０６の上層部が非晶質化されて形成さ
れる。非晶質領域３１１は、第１のシリコン層３０６の膜厚や第１の絶縁層３０８を形成
する材料、又は第１の絶縁層３０８のエッチング条件等を制御することにより形成するこ
とができる。非晶質領域３１１は、第１のシリコン層３０６の０．２倍乃至０．６倍、好
ましくは０．３乃至０．５倍程度の膜厚となるように形成する。なお、非晶質領域３１１
は、第１のシリコン層３０６の一表面上から底面（絶縁層３０２と接する面）に向かって
形成される。
【０１００】
次に、第１のシリコン層３０６の上層部に形成された非晶質領域３１１を選択的にエッ
チングして、第２のシリコン層３１３を形成する。次に、第２の絶縁層３１０及び第２の
シリコン層３１３を覆うように第３の絶縁層３１２を形成する（図５（Ｂ１）、（Ｂ２）
参照）。
【０１０１】
第２のシリコン層３１３は、第１のシリコン層３０６の上層部に形成された非晶質領域
３１１を選択的にエッチングすることで形成される。第１のシリコン層３０６は単結晶シ
リコンであり、当該第１のシリコン層３０６は、第１の絶縁層３０８のエッチングにより
第２の絶縁層３１０を形成する際に、上層部が非晶質化されて非晶質シリコン層が形成さ
れる。このとき形成される非晶質シリコン層は、本実施の形態の非晶質領域３１１に相当
する。よって、非晶質領域３１１である非晶質シリコン層を選択的にエッチングすること
で、第２のシリコン層３１３として単結晶シリコン層が残存する。なお、第２のシリコン
層３１３は、端部のテーパ角が４５°以上９５°未満、より好ましくはテーパ角が６０°
以上９５°未満と垂直形状に近くなるように形成するとよい。また、第１のシリコン層３
０６の側面と接して形成された第２の絶縁層３１０は、非晶質領域３１１のエッチング後
もそのまま残存し、第２のシリコン層３１３に対して凸状に突き出た状態となる。
【０１０２】
非晶質領域３１１のエッチング方法は、非晶質領域３１１とその他の絶縁層（例えば、
第２の絶縁層３１０、絶縁層３０２）とのエッチング選択比が高く取れるものであれば、
特に限定されない。なお、非晶質シリコン層と単結晶シリコン層とはエッチング選択比が
低いため、予め非晶質領域３１１の膜厚をある程度制御して形成し、非晶質領域３１１が
形成されていると推定される深さまで、第１のシリコン層３０６を垂直方向にエッチング
する。エッチング方法としては、例えば、平行平板方式、マグネトロン方式、２周波方式
、ＥＣＲ方式、ヘリコン方式、ＩＣＰ方式などの反応性イオンエッチングを用いることが
できる。このとき適用するエッチングガスは、非晶質領域３１１とその他の絶縁層とのエ
ッチング選択比を高く取れるものであればよい。例えば、Ｃｌ２等の塩素系のガス、又は
ＨＢｒガスを用いることができる。また、ＨＢｒガス及びＣｌ２ガスの混合ガスを用いて
もよい。その他、ＨｅやＡｒなどの不活性ガスを適宜加えてもよい。本実施の形態では、
エッチングガスとしてＣｌ２ガスを用いて、非晶質領域３１１を選択的にエッチングする
。
【０１０３】
第３の絶縁層３１２は、ＣＶＤ法やスパッタリング法により、酸化シリコン、窒化シリ
コン、酸化窒化シリコン、窒化酸化シリコン、窒化アルミニウム等の材料を用いて形成す
る。第３の絶縁層３１２は、これらの材料のうち１つ又は複数を用いて、単層構造又は積
層構造で形成する。また、第３の絶縁層３１２は、実施の形態１で示したような高密度プ
ラズマ処理による第２のシリコン層３１３、或いは第２のシリコン層３１３及び第２の絶
縁層３１０の固相酸化若しくは固相窒化で形成することもできる。第３の絶縁層３１２は
、膜厚１ｎｍ乃至５０ｎｍ、好ましくは膜厚１ｎｍ乃至２０ｎｍ、より好ましくは１ｎｍ
乃至１０ｎｍの範囲で形成する。
【０１０４】
以上までで形成される第２の絶縁層３１０及び第３の絶縁層３１２は、ゲート絶縁層と
して機能する。すなわち、本発明に係るゲート絶縁層は、一体物ではなく複数の絶縁層の
複合物で形成される。このように、シリコン層の側面と接する第２の絶縁層３１０を形成
することで、シリコン層の端部においてゲート絶縁層の被覆性を良好にすることができる
。例えば、シリコン層を島状に加工する際のエッチングや様々な工程に付随するフッ酸等
を用いた洗浄により、シリコン層の端部下及びその付近の絶縁層（支持基板上の絶縁層）
が除去された場合でも、シリコン層を十分に被覆することができる。よって、シリコン層
の端部におけるゲート絶縁層の被覆不良に起因したシリコン層とゲート電極層の短絡、リ
ーク電流の発生、静電破壊等を防止することができる。
【０１０５】
なお、第２の絶縁層３１０及び第３の絶縁層３１２で構成されるゲート絶縁層は、第２
のシリコン層３１３の一表面上に形成された領域と比較して、第２のシリコン層３１３の
側面と接する領域の膜厚が厚いことが好ましい。例えば、第２のシリコン層３１３の一表
面上からの垂直線とゲート絶縁層の最表面との交点までの距離を膜厚ｔ１する。第２のシ
リコン層３１３の側面からの垂直線とゲート絶縁層の最表面との交点までの距離を膜厚ｔ
２とする。ゲート絶縁層は、膜厚ｔ１＜膜厚ｔ２を満たすことが好ましい。第２のシリコ
ン層３１３の側面と接する領域の膜厚は一定値であるとは限らないが、この場合は、膜厚
ｔ１と比較して、膜厚ｔ２の最小値が同じ、或いは膜厚ｔ１より大きいことが好ましい。
このようにすることで、シリコン層の端部をゲート絶縁層により十分に被覆することがで
きる。
【０１０６】
また、第２の絶縁層３１０及び第３の絶縁層３１２で構成されるゲート絶縁層は、第２
のシリコン層３１３の一表面上に形成された領域と比較して、第２のシリコン層３１３の
側面と接する領域の誘電率が小さいことが好ましい。例えば、第３の絶縁層３１２と比較
して、第２の絶縁層３１０の誘電率を小さくすることで、第２のシリコン層３１３の側面
と接する領域のゲート絶縁層の誘電率を小さくすることができる。好ましくは、第２の絶
縁層３１０を誘電率４以下の低誘電率材料を用いて形成するとよい。ゲート絶縁層におい
て、シリコン層の一表面上と比較して、シリコン層の側面と接する領域の誘電率を小さく
することで、シリコン層の端部に電界が集中することを防止でき、ゲート絶縁層の絶縁不
良を低減することができるため好ましい。
【０１０７】
次に、第３の絶縁層３１２を介して第２のシリコン層３１３上にゲート電極として機能
する導電層３１４を形成する。導電層３１４をマスクとして第２のシリコン層３１３に一
導電型を付与する不純物元素を添加する。このとき第２のシリコン層３１３に形成される
不純物領域は、後に形成するＬＤＤ領域の一部を構成する。
【０１０８】
次に、導電層３１４の側面と接する絶縁層３１５を形成する。そして、絶縁層３１５及
び導電層３１４をマスクとして、一導電型を付与する不純物元素を添加して、チャネル形
成領域３１６、ＬＤＤ領域として機能する低濃度不純物領域３１７、ソース領域又はドレ
イン領域として機能する高濃度不純物領域３１８を形成する（図５（Ｃ１）、（Ｃ２）参
照）。
【０１０９】
導電層３１４は、タンタル（Ｔａ）、タングステン（Ｗ）、チタン（Ｔｉ）、モリブデ
ン（Ｍｏ）、クロム（Ｃｒ）、アルミニウム（Ａｌ）、銅（Ｃｕ）、又はニオブ（Ｎｂ）
等の金属元素、又は当該金属元素を含む合金材料若しくは化合物材料を用いて形成するこ
とができる。また、リン等の一導電型を付与する不純物元素が添加された多結晶シリコン
に代表される半導体材料を用いて形成することもできる。導電層３１４は、これらの材料
を用いてＣＶＤ法やスパッタリング法により全面に形成した後、選択的にエッチングして
所望の形状に加工すればよい。また、導電層３１４は、単層構造又は積層構造で形成すれ
ばよく、膜厚１００ｎｍ乃至１０００ｎｍ、好ましくは膜厚２００ｎｍ乃至８００ｎｍ、
より好ましくは３００ｎｍ乃至５００ｎｍの範囲で形成する。
【０１１０】
絶縁層３１５は、ＣＶＤ法やスパッタリング法により、酸化シリコン、窒化シリコン、
酸化窒化シリコン、窒化酸化シリコン等の無機材料、有機樹脂などの有機材料を用いて、
単層構造又は積層構造の絶縁層を形成する。当該絶縁層を、垂直方向を主体とした異方性
エッチングにより選択的にエッチングして、導電層３１４の側面と接する絶縁層３１５を
形成することができる。絶縁層３１５は、サイドウォールともいわれる。ここでは、絶縁
層３１５は、導電層３１４の側面と接しない面を湾曲状に形成している。具体的には、任
意の曲率を有し、接する導電層３１４の側面に対して凸形状に湾曲するように形成してい
る。もちろん、本発明は特に限定されず、絶縁層３１５は丸みを帯びた形状でなく、角を
有する形状としてもよい。なお、絶縁層３１５は、ＬＤＤ領域を形成する際のドーピング
用マスクとしても機能する。
【０１１１】
第２のシリコン層３１３には、チャネル形成領域３１６、低濃度不純物領域３１７、高
濃度不純物領域３１８が形成されている。チャネル形成領域３１６は、第３の絶縁層３１
２を介して導電層３１４と略一致する領域に形成される。低濃度不純物領域３１７は、第
３の絶縁層３１２を介して絶縁層３１５と略一致する領域に形成され、且つ高濃度不純物
領域３１８とチャネル形成領域３１６の間に形成される。なお、低濃度不純物領域３１７
は、必ずしも設ける必要はない。
【０１１２】
高濃度不純物領域３１８は、低濃度不純物領域３１７と比較して、高い濃度で不純物元
素が添加されている。一導電型を付与する不純物元素としては、リン（Ｐ）やヒ素（Ａｓ
）等のｎ型を付与する不純物元素、ボロン（Ｂ）やアルミニウム（Ａｌ）やガリウム（Ｇ
ａ）等のｐ型を付与する不純物元素を用いることができる。
【０１１３】
以上により、本発明を適用した薄膜トランジスタ３２０を形成することができる。
【０１１４】
また、第２のシリコン層３１３に一導電型を付与する不純物元素を添加した後、熱処理
を行うことにより、添加した不純物元素を活性化することができる。熱処理は、レーザビ
ームの照射、又はＲＴＡ若しくはファーネスアニール炉を用いて行うことができる。具体
的には４００℃乃至７００℃、好ましくは５００℃乃至５５０℃の温度範囲で熱処理を行
うとよい。また、熱処理は窒素雰囲気下で行うことが好ましい。例えば、５５０℃４時間
の加熱を行うことにより、活性化を行うことができる。また、第２のシリコン層３１３の
一部に非晶質領域がある場合には、熱処理を行うことにより、不純物元素の活性化ととも
にシリコン層の再結晶化を行うこともできる。
【０１１５】
また、図６（Ａ）乃至（Ｃ）、又は図６（Ｄ）乃至（Ｆ）に示すような作製方法を用い
てＴＦＴを作製することもできる。なお、支持基板３００上に絶縁層３０２、島状の第１
のシリコン層３０６が順に積層形成されたＳＯＩ基板３０５を用い、当該シリコン層３０
６上に第１の絶縁層３０８を形成するまでは図４（Ｂ１）、（Ｃ１）と同じ方法であるた
め、説明は省略する。
【０１１６】
まず、図６（Ａ）乃至（Ｃ）に示す作製方法について説明する。第１のシリコン層３０
６上に第１の絶縁層３０８を形成した後（図４（Ｃ１）参照）、第１の絶縁層３０８を、
垂直方向を主体とした異方性エッチングを行うことにより選択的にエッチングし、シリコ
ン層３０６の側面と接する第２の絶縁層３３０を形成する。第１のシリコン層３０６の上
層部は、非晶質化され非晶質領域３３１が形成される（図６（Ａ）参照）。このとき、第
１のシリコン層３０６の側面と接する第２の絶縁層３３０が、第１のシリコン層３０６と
比較して、底面（絶縁層３０２と接する面）からの垂直方向の高さが低くなるように、エ
ッチング条件を制御する。好ましくは、第２の絶縁層３３０の底面からの垂直方向の高さ
が、第１のシリコン層３０６における底面から非晶質領域３３１までの高さと略一致する
ように形成するとよい。
【０１１７】
第２の絶縁層３３０は、エッチングガスとして用いるガス種及びガス流量比等のエッチ
ング条件を変更して所望の形状に加工することができる。例えば、第１の絶縁層３０８と
その他の層（第１のシリコン層３０６）のエッチング選択比を高くし、選択的に第１の絶
縁層３０８のエッチングが進行するようにすることで、第１のシリコン層３０６と比較し
て、第２の絶縁層３３０の底面から垂直方向の高さを低く形成することができる。つまり
、非晶質領域３３１及び第２の絶縁層３３０が接しないようにすることも可能である。
【０１１８】
次に、第１のシリコン層３０６の上層部に形成された非晶質領域３３１を選択的にエッ
チングして、第２のシリコン層３３２を形成する（図６（Ｂ）参照）。なお、非晶質領域
３３１は、単結晶シリコン層である第１のシリコン層３０６とのエッチングの選択比が低
いため、予め非晶質領域３３１の膜厚をある程度制御して形成し、非晶質領域３３１が形
成されていると推定される深さまで、第１のシリコン層３０６を垂直方向にエッチングす
る。ここでは、第２の絶縁層３３０は、非晶質領域３３１と接しないように形成している
。そのため、非晶質領域３３１のエッチング後に、第２の絶縁層３３０が凸状に突き出た
状態とならないようにすることができる。
【０１１９】
次に、第２のシリコン層３３２及び第２の絶縁層３３０上に第３の絶縁層３３４を形成
する。第２の絶縁層３３０及び第３の絶縁層３３４は、ゲート絶縁層として機能する。次
に、第３の絶縁層３３４を介して第２のシリコン層３３２上にゲート電極として機能する
導電層３３６を形成する。導電層３３６をマスクとして第２のシリコン層３３２に一導電
型を付与する不純物元素を添加する。このとき第２のシリコン層３３２に形成される不純
物領域は、後に形成するＬＤＤ領域の一部を構成する。次に、導電層３３６の側面と接す
る絶縁層３３８を形成する。そして、絶縁層３３８及び導電層３３６をマスクとして、一
導電型を付与する不純物元素を添加して、チャネル形成領域３４０、ＬＤＤ領域として機
能する低濃度不純物領域３４２、ソース領域又はドレイン領域として機能する高濃度不純
物領域３４４を形成する。以上により、ＴＦＴ３５０を形成することができる（図６（Ｃ
）参照）。なお、第３の絶縁層３３４形成から導電層３３６及び絶縁層３３８を形成し、
第２のシリコン層にチャネル形成領域３４０、低濃度不純物領域３４２、高濃度不純物領
域３４４を形成するまでの方法は、図５（Ｂ１）、（Ｃ１）と同様であるので、説明は省
略する。
【０１２０】
次に、図６（Ｄ）乃至（Ｆ）に示す作製方法について説明する。第１のシリコン層３０
６上に第１の絶縁層３０８を形成した後（図４（Ｃ１）参照）、第１の絶縁層３０８を、
垂直方向を主体とした異方性エッチングを行うことにより選択的にエッチングし、第１の
シリコン層３０６の側面と接する第２の絶縁層３１０を形成する。第１のシリコン層３０
６の上層部は、非晶質化して非晶質領域３１１が形成される（図５（Ａ１）、図６（Ｄ）
参照）。
【０１２１】
次に、第１のシリコン層３０６の上層部に形成された非晶質領域３１１及び第２の絶縁
層３１０を、垂直方向を主体とした異方性エッチングにより選択的にエッチングして、第
２のシリコン層３６２及び第３の絶縁層３６０を形成する（図６（Ｅ）参照）。非晶質領
域３１１及び第２の絶縁層３１０は、エッチング選択比を極力小さくした条件、つまりエ
ッチング選択比が１に近くなる条件でエッチングする。このようにすることで、エッチン
グにより形成される第２のシリコン層３６２及び第３の絶縁層３６０は、底面（絶縁層３
０２と接する面）からの垂直方向の高さを略一致させることができる。
【０１２２】
次に、第２のシリコン層３６２及び第３の絶縁層３６０を覆うように第４の絶縁層３６
４を形成する。第３の絶縁層３６０及び第４の絶縁層３６４は、ゲート絶縁層として機能
する。次に、第４の絶縁層３６４を介して第２のシリコン層３６２上にゲート電極として
機能する導電層３６６を形成する。導電層３６６をマスクとして第２のシリコン層３６２
に一導電型を付与する不純物元素を添加する。このとき第２のシリコン層３６２に形成さ
れる不純物領域は、後に形成するＬＤＤ領域の一部を構成する。次に、導電層３６６の側
面と接する絶縁層３６８を形成する。そして、絶縁層３６８及び導電層３６６をマスクと
して、一導電型を付与する不純物元素を添加して、チャネル形成領域３７０、ＬＤＤ領域
として機能する低濃度不純物領域３７２、ソース領域又はドレイン領域として機能する高
濃度不純物領域３７４を形成する。以上により、ＴＦＴ３８０を形成することができる（
図６（Ｆ）参照）。第４の絶縁層３６４形成から導電層３６６及び絶縁層３６８を形成し
、第２のシリコン層にチャネル形成領域３７０、低濃度不純物領域３７２、高濃度不純物
領域３７４を形成するまでの方法は、図５（Ｂ１）、（Ｃ１）と同様であるので、説明は
省略する。なお、第４の絶縁層３６４は、第３の絶縁層３１２に相当する。
【０１２３】
以上により、本発明を適用した薄膜トランジスタ３２０、３５０、３８０を形成するこ
とができる。なお、本実施の形態で示したＴＦＴの構造は一例であり、図示した構造に限
定されるものではない。例えば、直列に接続された少なくとも２つ以上のチャネル形成領
域を含んだシリコン層と、それぞれのチャネル形成領域に電界を印加する少なくとも２つ
以上のゲート電極層と、を有するマルチゲート構造を用いてもよい。その他、ＴＦＴのシ
リコン層にＬＤＤ領域を形成してもよい。
【０１２４】
また、本実施の形態ではゲート電極として機能する導電層の側面と接して絶縁層を形成
し、シリコン層にＬＤＤ領域を形成する例を説明したが、本発明は特に限定されるもので
はない。実施の形態１で示したような構成としてもよいし、ゲート電極の側面をテーパ形
状にしてもよい。また、ゲート電極を２層の導電層の積層構造とし、各層でテーパ角度が
異なるようにしてもよい。
【０１２５】
本発明を適用して作製した半導体装置は、シリコン層の端部に起因する不良を防止する
ことができる。特に、シリコン層の端部におけるゲート絶縁層の被覆不良、シリコン層の
端部における電界集中等によるゲート絶縁層の絶縁破壊、静電破壊、リーク電流の発生等
の不良を防止、低減することが可能である。よって、信頼性の高い半導体装置を作製する
ことができる。また、本発明を適用することで、半導体装置を歩留まり良く製造すること
も可能になる。
【０１２６】
なお、本実施の形態は、本明細書で示す他の実施の形態と、適宜組み合わせることがで
きる。
【０１２７】
（実施の形態３）
本実施の形態では、上記実施の形態と異なる作製方法で半導体装置を作製する例につい
て、図７乃至図９を用いて説明する。
【０１２８】
図７（Ａ）は、本発明に係る半導体装置の主要な構成を説明するための上面図である。
なお、図７（Ａ）は、一部薄膜等を省略している。
【０１２９】
図７（Ａ）に示す半導体装置は、ＳＯＩ基板を用いて薄膜トランジスタが形成されてい
る。ＳＯＩ基板の表面シリコン層４１４は島状に形成されており、島状のシリコン層４１
４を横断するように、ゲート電極を形成する導電層４１７、導電層４１８が設けられてい
る。また、島状のシリコン層４１４の側面と接して絶縁層４１０が設けられている。ここ
では、島状のシリコン層４１４の全周囲を囲うように絶縁層４１０を設ける例を図示して
いるが、少なくとも導電層４１７、４１８及びシリコン層４１４が重畳する領域に島状の
シリコン層４１４の側面と接する絶縁層を設ければよい。もちろん、導電層４１７、４１
８及びシリコン層４１４が重畳する領域及びその近傍に、島状のシリコン層４１４の側面
と接する絶縁層を設けてもよい。
【０１３０】
シリコン層４１４には、チャネル形成領域と、ＬＤＤ領域として機能する一対の低濃度
不純物領域と、ソース領域又はドレイン領域として機能する一対の高濃度不純物領域４２
２が形成されている。チャネル形成領域は、導電層４１８と略一致する領域のシリコン層
４１４に形成されており、一対の高濃度不純物領域４２２の間に位置する。また、チャネ
ル形成領域と高濃度不純物領域４２２との間で、導電層４１７と重なり導電層４１８とは
重ならない領域のシリコン層４１４に低濃度不純物領域が形成されている。
【０１３１】
次に、図７（Ａ）に示す半導体装置の作製方法について説明する。ここでは、図７（Ａ
）における破線Ｏ−Ｐ間の断面図、及び破線Ｑ−Ｒ間の断面図を用いて、具体的に説明す
る。
【０１３２】
まず、支持基板４００上に絶縁層４０２、第１のシリコン層４０６が順に積層形成され
たＳＯＩ基板４０５を準備する（図７（Ｂ１）、（Ｂ２）参照）。次に、第１のシリコン
層４０６を覆うように第１の絶縁層４０８を形成する（図７（Ｃ１）、（Ｃ２）参照）。
なお、第１の絶縁層４０８を形成するまでは、上記実施の形態１で示したＳＯＩ基板１０
５、絶縁層１０７の説明に準じるため、簡略して以下に説明する。
【０１３３】
ＳＯＩ基板４０５は、ＳＩＭＯＸ基板や貼り合わせ基板等の公知のＳＯＩ基板を用いる
ことができる。ＳＯＩ基板４０５の表面シリコン層を選択的にエッチングして、島状の第
１のシリコン層４０６を形成する。第１のシリコン層４０６の膜厚は、１０ｎｍ乃至１５
０ｎｍ、好ましくは３０ｎｍ乃至１００ｎｍの範囲で形成するとよい。また、第１のシリ
コン層４０６の端部は垂直形状となるように形成してもよいし、端部がテーパ形状となる
ように形成してもよい。本実施の形態では、第１のシリコン層４０６の端部をテーパ角が
３０°以上８５°未満、又は４５°以上６０°未満の緩やかなテーパ形状となるように形
成する。第１のシリコン層４０６の端部をテーパ形状としてコーナー部（角部）を緩やか
にすることにより、該コーナー部に電界が集中することを緩和することができる。なお、
本発明は特に限定されず、上記実施の形態で示すように、テーパ角が４５°以上９５°未
満、より好ましくはテーパ角が６０°以上９５°未満と垂直形状に近くなるように形成し
てもよい。
【０１３４】
第１の絶縁層４０８は、ＣＶＤ法やスパッタリング法により、酸化シリコン、窒化シリ
コン、酸化窒化シリコン、窒化酸化シリコン、ＳｉＯＦ、ＳｉＯＣ、ＤＬＣ、ポーラスシ
リカ等の材料を用いて形成する。また、第１の絶縁層４０８は、少なくとも第１のシリコ
ン層４０６の端部を十分に被覆できる膜厚で形成する。好ましくは、下層の第１のシリコ
ン層４０６と比較して１．５倍乃至３倍の膜厚で形成する。なお、第１の絶縁層４０８は
、後にシリコン層の一表面上に形成する絶縁層４１６と比較して誘電率が小さい材料を用
いて形成するのが好ましい。第１の絶縁層４０８は、後に完成する半導体装置においてゲ
ート絶縁層の一部を形成し、具体的にはシリコン層の側面と接する領域のゲート絶縁層の
一部となる。シリコン層を島状に形成した場合は、シリコン層の端部、特にコーナー部（
角部）において電界が集中しやすい。電界が集中すると、ゲート絶縁層に絶縁破壊等の絶
縁不良が生じる恐れが大きくなる。そのため、シリコン層の側面と接する第１の絶縁層４
０８を、後にシリコン層の一表面上に形成する絶縁層と比較して低い誘電率材料を用いて
形成することで、シリコン層の端部に掛かる電界を緩和させることができるため好ましい
。
【０１３５】
次に、第１の絶縁層４０８を、垂直方向を主体とした異方性エッチングを行うことによ
り選択的にエッチングして、第１のシリコン層４０６の側面と接する第２の絶縁層４１０
を形成する。このとき、第１のシリコン層４０６の上層部が非晶質化して非晶質領域４１
２が形成される（図８（Ａ１）、（Ａ２）参照）。
【０１３６】
例えば、第１の絶縁層４０８として窒化酸化シリコン層を形成する。また、絶縁層４０
２は酸化シリコン層、第１のシリコン層４０６は単結晶シリコン層であるものとする。次
に、垂直方向を主体とした異方性のドライエッチングで第１の絶縁層４０８をエッチング
していく。エッチングは、第１のシリコン層４０６の一表面上及び絶縁層４０２の一表面
上に形成されている第１の絶縁層４０８から進行していく。なお、第１のシリコン層４０
６及び絶縁層４０２上には、ほぼ同じ膜厚で第１の絶縁層４０８が形成されている。よっ
て、第１のシリコン層４０６の一表面が露出したところでエッチングを停止させることに
より、第１のシリコン層４０６の側面と接する領域及びその付近のみに第１の絶縁層４０
８は残る。残存する第１の絶縁層４０８が第２の絶縁層４１０に相当する。
【０１３７】
第１の絶縁層４０８のエッチング方法は、垂直方向を主体とした異方性エッチングを行
えるものであれば特に限定されない。例えば、平行平板方式、マグネトロン方式、２周波
方式、ＥＣＲ方式、ヘリコン方式、又はＩＣＰ方式などの反応性イオンエッチングを用い
ることができる。エッチングガスは、第１の絶縁層４０８と、それ以外の層（第１のシリ
コン層４０６）とでエッチング選択比が高く取れるものを適宜選択すればよい。例えば、
ＣＨＦ３、ＣＦ４、Ｃ４Ｆ８、Ｃ２Ｆ６、ＮＦ３等のフッ素系のガスを用いることにより
、絶縁層を選択的にエッチングすることが可能である。その他、ＨｅやＡｒやＸｅなどの
不活性ガス、又はＯ２ガス、Ｈ２ガスを適宜加えてもよい。ここでは、ＩＣＰ方式の反応
性イオンエッチングにより、エッチングガスとしてＣＨＦ３ガスおよびＨｅガスを用いて
、第１の絶縁層４０８をエッチングする。なお、エッチング条件を適宜変更することによ
り、第２の絶縁層４１０の形状を制御することができる。本実施の形態では、第１のシリ
コン層４０６と比較して、底面（絶縁層４０２と接する面）からの垂直方向の高さが略一
致するように、第２の絶縁層４１０を形成する。また、第２の絶縁層４１０は、シリコン
層の側面と接しない面を湾曲状に形成している。具体的には、任意の曲率を有し、接する
シリコン層の側面に対して凸形状に湾曲するように形成している。もちろん、本発明は特
に限定されず、第２の絶縁層４１０は丸みを帯びた形状でなく、角を有する形状としても
よい。なお、第２の絶縁層４１０のコーナー部を緩やかな形状とすると、上層に積層され
る層（ここでは、絶縁層４１６）の被覆性を良好にすることができるため好ましい。
【０１３８】
非晶質領域４１２は、第１の絶縁層４０８をエッチングする際に、プラズマ等のエネル
ギーの影響により第１のシリコン層４０６の上層部が非晶質化されて形成される。非晶質
領域４１２は、第１のシリコン層４０６の膜厚や第１の絶縁層４０８を形成する材料、又
は第１の絶縁層４０８をエッチングする条件等を適宜選択することにより、形成すること
ができる。非晶質領域４１２の膜厚は、第１のシリコン層４０６の０．２倍乃至０．６倍
、好ましくは０．３乃至０．５倍程度となるように形成する。なお、非晶質領域４１２は
、第１のシリコン層４０６の上面（絶縁層４０２と接する面と対向する面）から垂直方向
に形成される。また、第１のシリコン層４０６の膜厚も、第２の絶縁層４１０を形成する
ためのエッチングの際に非晶質化される領域を考慮して、厚めに形成しておくのが好まし
い。
【０１３９】
次に、第１のシリコン層４０６の上層部に形成された非晶質領域４１２を選択的にエッ
チングして、第２のシリコン層４１４を形成する。なお、非晶質領域４１２は、単結晶シ
リコン層である第１のシリコン層４０６とのエッチングの選択比が低いため、予め非晶質
領域４１２の膜厚をある程度制御して形成し、非晶質領域４１２が形成されていると推定
される深さまで、第１のシリコン層４０６を垂直方向にエッチングする。次に、第２の絶
縁層４１０及び第２のシリコン層４１４を覆うように第３の絶縁層４１６を形成する（図
８（Ｂ１）（Ｂ２）参照）。
【０１４０】
第２のシリコン層４１４は、第１のシリコン層４０６の上層部に形成された非晶質領域
４１２を選択的にエッチングすることで形成される。第１のシリコン層４０６は単結晶シ
リコンであり、当該第１のシリコン層４０６は、第１の絶縁層４０８のエッチングにより
第２の絶縁層４１０を形成する際に、上層部が非晶質化されて非晶質シリコン層が形成さ
れる。このとき形成される非晶質シリコン層は、本実施の形態の非晶質領域４１２に相当
する。よって、非晶質領域４１２である非晶質シリコン層を選択的にエッチングすること
で、第２のシリコン層４１４として単結晶シリコン層が残存する。ここでは第２のシリコ
ン層４１４は、端部のテーパ角が３０°以上８５°未満、又はテーパ角が４５°以上６０
°未満の緩やかなテーパ形状となるようにする。なお、本発明は特に限定されず、上記実
施の形態で示すように、テーパ角が４５°以上９５°未満、より好ましくはテーパ角が６
０°以上９５°未満と垂直形状に近くなるように形成してもよい。また、第１のシリコン
層４０６の側面と接して形成された第２の絶縁層４１０は、非晶質領域４１２のエッチン
グ後もそのまま残存し、第２のシリコン層４１４に対して凸状に突き出た状態となる。
【０１４１】
本実施の形態では、ＳＯＩ基板４０５の表面シリコン層を利用した第１のシリコン層４
０６を膜厚６０ｎｍで形成し、当該第１のシリコン層４０６上に第１の絶縁層４０８とし
て酸化窒化シリコン層を膜厚２００ｎｍで形成した後、垂直方向を主体としたエッチング
により第２の絶縁層４１０を形成する。エッチングは、ＩＣＰ方式の反応性イオンエッチ
ングを行う。このとき形成された非晶質領域４１２を選択的にエッチングして、第２のシ
リコン層４１４として単結晶シリコン層を膜厚２５ｎｍで形成する。
【０１４２】
第３の絶縁層４１６は、ＣＶＤ法やスパッタリング法により、酸化シリコン、窒化シリ
コン、酸化窒化シリコン、窒化酸化シリコン、窒化アルミニウム等の材料を用いて形成す
る。第３の絶縁層４１６は、これらの材料のうち１つ又は複数を用いて、単層構造又は積
層構造で形成する。また、第３の絶縁層４１６は、高密度プラズマ処理による固相酸化若
しくは固相窒化で形成することもできる。例えば、第２のシリコン層４１４及び第２の絶
縁層４１０を、高密度プラズマ処理により酸化又は窒化して、第３の絶縁層４１６を形成
することができる。第３の絶縁層４１６は、膜厚１ｎｍ乃至５０ｎｍ、好ましくは膜厚１
ｎｍ乃至２０ｎｍ、より好ましくは１ｎｍ乃至１０ｎｍの範囲で形成する。
【０１４３】
以上までで形成される第２の絶縁層４１０及び第３の絶縁層４１６は、ゲート絶縁層と
して機能する。すなわち、本発明に係るゲート絶縁層は、一体物ではなく複数の絶縁層の
複合物で形成される。シリコン層の側面と接する第２の絶縁層４１０を形成し、さらにシ
リコン層の一表面上に第３の絶縁層４１６を形成することで、シリコン層の端部において
ゲート絶縁層の被覆性を良好にすることができる。よって、ゲート絶縁層の被覆不良に起
因するシリコン層とゲート電極との短絡やリーク電流の発生等を防止することができる。
また、ゲート絶縁層の被覆性を良好にすることで、完成するトランジスタ等の素子の静電
破壊も防止することができる。
【０１４４】
なお、第２の絶縁層４１０及び第３の絶縁層４１６で形成されるゲート絶縁層は、第２
のシリコン層４１４の一表面上に形成された領域と比較して、第２のシリコン層４１４の
側面と接する領域の膜厚が厚いことが好ましい。例えば、第２のシリコン層４１４の一表
面上からの垂直線とゲート絶縁層の最表面との交点までの距離を膜厚ｔ１する。第２のシ
リコン層４１４の側面からの垂直線とゲート絶縁層の最表面との交点までの距離を膜厚ｔ
２とする。ゲート絶縁層は、膜厚ｔ１＜膜厚ｔ２を満たすことが好ましい。なお、第２の
シリコン層４１４の側面と接する領域の膜厚は一定値であるとは限らないが、この場合は
、膜厚ｔ１と比較して、膜厚ｔ２の最小値が同じ、或いは膜厚ｔ１より大きいことが好ま
しい。このようにゲート絶縁層により第２のシリコン層４１４の端部を十分に被覆する、
好ましくは第２のシリコン層４１４の側面と接する領域の膜厚を厚くすることで、第２の
シリコン層４１４の端部に掛かる電界を緩和することができ、リーク電流の発生等を防止
することができる。
【０１４５】
また、第２の絶縁層４１０及び第３の絶縁層４１６で形成されるゲート絶縁層は、第２
のシリコン層４１４の一表面上に形成された領域と比較して、第２のシリコン層４１４の
側面と接する領域の誘電率が小さいことが好ましい。例えば、第３の絶縁層４１６と比較
して、第２の絶縁層４１０の誘電率を小さくすることで、第２のシリコン層４１４の側面
と接する領域のゲート絶縁層の誘電率を小さくすることができる。好ましくは、第２の絶
縁層４１０を誘電率４以下の低誘電率材料を用いて形成するとよい。ゲート絶縁層におい
て、シリコン層の一表面上と比較して、シリコン層の側面と接する領域の誘電率を小さく
することで、シリコン層の端部に掛かる電界を緩和させることができ、ゲート絶縁層の絶
縁不良を防止することができる。
【０１４６】
次に、第３の絶縁層４１６を介して第２のシリコン層４１４上にゲート電極として機能
する導電層４１７及び導電層４１８の積層構造を形成する。導電層４１７、導電層４１８
をマスクとして第２のシリコン層４１４に一導電型を付与する不純物元素を添加して、チ
ャネル形成領域４２０、ＬＤＤ領域として機能する低濃度不純物領域４２１、ソース領域
又はドレイン領域として機能する高濃度不純物領域４２２を形成する（図８（Ｃ１）、（
Ｃ２）参照）。
【０１４７】
導電層４１７、４１８は、タンタル（Ｔａ）、タングステン（Ｗ）、チタン（Ｔｉ）、
モリブデン（Ｍｏ）、クロム（Ｃｒ）、アルミニウム（Ａｌ）、銅（Ｃｕ）、又はニオブ
（Ｎｂ）等の金属元素、又は当該金属元素を含む合金材料若しくは化合物材料を用いて形
成することができる。また、リン等の一導電型を付与する不純物元素が添加された多結晶
シリコンに代表される半導体材料を用いて形成することもできる。ゲート電極として機能
する導電層はこれらの材料のうち１つ又は複数を用いて、単層構造又は積層構造で形成す
ることができる。また、膜厚１００ｎｍ乃至１０００ｎｍ、好ましくは膜厚２００ｎｍ乃
至８００ｎｍ、より好ましくは３００ｎｍ乃至５００ｎｍの範囲で形成するとよい。また
、ゲート電極として機能する導電層は、上述の材料を用いてＣＶＤ法やスパッタリング法
により全面に形成した後、選択的にエッチングして所望の形状に加工すればよい。
【０１４８】
本実施の形態では、ゲート電極として導電層４１７、４１８の２層の積層構造を形成し
、各層の側面をテーパ形状とし、さらに各層でテーパ角度が異なるように形成する例を示
している。ゲート電極を構成する導電層の側面をテーパ形状にすることで、上層に積層す
る層の被覆性を向上することができる。
【０１４９】
また、本実施の形態では、導電層４１７、４１８の幅（キャリアがチャネル形成領域を
流れる方向（ソース領域とドレイン領域とを結ぶ方向）にほぼ平行な長さ）を異なるよう
に形成している。具体的には、導電層４１８と比較して、導電層４１７の幅が大きくなる
ように、つまりゲート電極を２層の積層構造で形成する場合、下層の導電層の幅が大きく
なるように形成している。このように導電層の幅を異なるように形成することで、第２の
シリコン層４１４に低濃度不純物領域４２１、高濃度不純物領域４２２を形成することが
容易になる。
【０１５０】
本実施の形態では、第２のシリコン層４１４に一導電型を付与する不純物元素を添加す
る際に、導電層４１７は低濃度不純物領域４２１を形成する際のドーピング用マスクとし
て機能することができる。導電層４１８は、チャネル形成領域４２０を形成するドーピン
グ用マスクとして機能する。よって、第３の絶縁層４１６を介してチャネル形成領域４２
０は導電層４１８と略一致する領域に形成され、低濃度不純物領域４２１は、導電層４１
７と重なり導電層４１８とは重ならない領域に形成されている。高濃度不純物領域４２２
は、導電層４１８及び導電層４１７の両方と重ならない領域に形成されている。なお、低
濃度不純物領域は、必ずしも設ける必要はない。
【０１５１】
高濃度不純物領域４２２は、低濃度不純物領域４２１と比較して、高い濃度で不純物元
素が添加されている。一導電型を付与する不純物元素としては、リン（Ｐ）やヒ素（Ａｓ
）等のｎ型を付与する不純物元素、ボロン（Ｂ）やアルミニウム（Ａｌ）やガリウム（Ｇ
ａ）等のｐ型を付与する不純物元素を用いることができる。
【０１５２】
以上により、本発明を適用した薄膜トランジスタ４２４を形成することができる。
【０１５３】
また、第２のシリコン層４１４に一導電型を付与する不純物元素を添加した後、熱処理
を行うことにより、添加した不純物元素を活性化することができる。熱処理は、レーザビ
ーム照射、又はＲＴＡ若しくはファーネスアニール炉を用いて行うことができる。具体的
には、４００℃乃至７００℃、好ましくは５００℃乃至５５０℃の温度範囲で熱処理を行
うのが好ましい。また、熱処理は窒素雰囲気下で行うことが好ましい。例えば、５５０℃
４時間の加熱を行うことにより、活性化を行うことができる。また、第２のシリコン層４
１４の一部に非晶質領域がある場合には、熱処理を行うことにより、不純物元素の活性化
とともにシリコン層の再結晶化を行うこともできる。
【０１５４】
また、図９（Ａ）乃至（Ｃ）、又は図９（Ｄ）乃至（Ｆ）に示すような作製方法を用い
てＴＦＴを作製することもできる。なお、ＳＯＩ基板４０５の表面シリコン層を島状に加
工して第１のシリコン層４０６を形成し、当該第１のシリコン層４０６上に第１の絶縁層
４０８を形成するまでは図７（Ｂ１）、（Ｃ１）と同じ方法であるため、説明は省略する
。なお、図９では、図７（Ａ）の破線Ｏ−Ｐ間の断面図を用いて説明する。
【０１５５】
まず、図９（Ａ）乃至（Ｃ）に示す作製方法について説明する。第１のシリコン層４０
６上に第１の絶縁層４０８を形成した後（図７（Ｃ１）参照）、第１の絶縁層４０８を、
垂直方向を主体とした異方性エッチングを行うことにより選択的にエッチングし、第１の
シリコン層４０６の側面と接する第２の絶縁層４３０を形成する。第１のシリコン層４０
６の上面から垂直方向に進んだ領域が非晶質化して非晶質領域４３１が形成される（図９
（Ａ）参照）。このとき、第１のシリコン層４０６の側面と接する第２の絶縁層４３０が
、第１のシリコン層４０６と比較して、底面（絶縁層４０２と接する面）からの垂直方向
の高さが低くなるように、エッチング条件を制御する。好ましくは、第２の絶縁層４３０
の底面からの垂直方向の高さが、第１のシリコン層４０６における底面から非晶質領域４
３１までの高さと略一致するように形成するとよい。つまり、非晶質領域４３１及び第２
の絶縁層４３０が接しないようにエッチング条件を制御するのが好ましい。
【０１５６】
次に、第１のシリコン層４０６の上層部に形成された非晶質領域４３１を選択的にエッ
チングして、第２のシリコン層４３２を形成する（図９（Ｂ）参照）。第２の絶縁層４３
０は、非晶質領域４３１と接しないように形成している。そのため、非晶質領域４３１の
エッチング後に、凸状に突き出た状態とならないようにできる。
【０１５７】
次に、第２のシリコン層４３２及び第２の絶縁層４３０上に第３の絶縁層４３４を形成
する。第２の絶縁層４３０及び第３の絶縁層４３４は、ゲート絶縁層として機能する。次
に、第３の絶縁層４３４を介して第２のシリコン層４３２上にゲート電極として機能する
導電層４３６、導電層４３８の積層構造を形成する。導電層４３６、導電層４３８をマス
クとして第２のシリコン層４３２に一導電型を付与する不純物元素を添加して、チャネル
形成領域４４０、ＬＤＤ領域として機能する低濃度不純物領域４４２、ソース領域又はド
レイン領域として機能する高濃度不純物領域４４４を形成する。以上により、ＴＦＴ４５
０を形成することができる（図９（Ｃ）参照）。なお、第３の絶縁層４３４形成から導電
層４３６、４３８を形成し、第２のシリコン層４３２にチャネル形成領域４４０、低濃度
不純物領域４４２、高濃度不純物領域４４４を形成するまでの方法は、図８（Ｂ１）、（
Ｃ１）と同様であるので、説明は省略する。
【０１５８】
次に、図９（Ｄ）乃至（Ｆ）に示す作製方法について説明する。第１のシリコン層４０
６上に第１の絶縁層４０８を形成した後（図７（Ｃ１）参照）、第１の絶縁層４０８を、
垂直方向を主体とした異方性エッチングを行うことにより選択的にエッチングし、第１の
シリコン層４０６の側面と接する第２の絶縁層４１０を形成する。第１のシリコン層４０
６の上面から垂直方向に進んだ領域は、非晶質化して非晶質領域４１２が形成される（図
８（Ａ１）、図９（Ｄ）参照）。
【０１５９】
次に、第１のシリコン層４０６の上層部に形成された非晶質領域４１２及び第２の絶縁
層４１０を、垂直方向を主体とした異方性エッチングにより選択的にエッチングして、第
２のシリコン層４６２及び第３の絶縁層４６０を形成する（図９（Ｅ）参照）。非晶質領
域４１２及び第２の絶縁層４１０は、選択比が低い条件、又はエッチング選択比が１に近
い条件でエッチングする。つまり、非晶質領域４１２及び第２の絶縁層４１０を、ほぼ同
じエッチング速度でエッチングしていく。よって、エッチングにより形成される第２のシ
リコン層４６２及び第３の絶縁層４６０は、底面（絶縁層４０２と接する面）からの垂直
方向の高さが略一致する。
【０１６０】
次に、第２のシリコン層４６２及び第３の絶縁層４６０上に第４の絶縁層４６４を形成
する。第３の絶縁層４６０及び第４の絶縁層４６４は、ゲート絶縁層として機能する。次
に、第４の絶縁層４６４を介して第２のシリコン層４６２上にゲート電極として機能する
導電層４６６、導電層４６８を形成する。導電層４６６、４６８をマスクとして第２のシ
リコン層４６２に一導電型を付与する不純物元素を添加して、チャネル形成領域４７０、
ＬＤＤ領域として機能する低濃度不純物領域４７２、ソース領域又はドレイン領域として
機能する高濃度不純物領域４７４を形成する。以上により、ＴＦＴ４８０を形成すること
ができる（図９（Ｆ）参照）。第４の絶縁層４６４形成から導電層４６６、４６８を形成
し、第２のシリコン層４６２にチャネル形成領域４７０、低濃度不純物領域４７２、高濃
度不純物領域４７４を形成するまでの方法は、図８（Ｂ１）、（Ｃ１）と同様であるので
、説明は省略する。なお、第４の絶縁層４６４は、第３の絶縁層４１６に相当する。
【０１６１】
以上により、本発明を適用した薄膜トランジスタ４２４、４５０、４８０を形成するこ
とができる。なお、本実施の形態で示したＴＦＴの構造は一例であり、図示した構造に限
定されるものではない。例えば、直列に接続された少なくとも２つ以上のチャネル形成領
域を含んだシリコン層と、それぞれのチャネル形成領域に電界を印加する少なくとも２つ
以上のゲート電極層と、を有するマルチゲート構造を用いてもよい。その他、ＴＦＴのシ
リコン層にＬＤＤ領域を形成してもよい。
【０１６２】
また、本実施の形態ではゲート電極として、各層でテーパ角度が異なる２層の導電層の
積層構造を形成する例を説明したが、本発明は特に限定されるものではない。ゲート電極
は単層の導電層で形成してもよいし、導電層の側面をテーパ形状としてもよい。また、導
電層の側面と接するサイドウォールともいわれる絶縁層を形成してもよい。
【０１６３】
本発明を適用して作製した薄膜トランジスタは、シリコン層の端部に起因する不良を低
減させることができる。特に、シリコン層の端部におけるゲート絶縁層の被覆不良を防止
することができる。また、シリコン層の端部における電界集中を緩和することができる。
よって、シリコン層及びゲート電極の短絡、ゲート絶縁層の絶縁破壊や静電破壊、及びこ
れらの不良に伴うリーク電流を防止、低減でき、信頼性の高い半導体装置を作製すること
ができる。また、半導体装置を歩留まり良く製造することも可能になる。
【０１６４】
また、本発明を適用することで、シリコン層の端部に起因する不良を低減させるととも
に、シリコン層の薄膜化を図ることも可能である。また、シリコン層の薄膜化に伴い生じ
るシリコン層端部付近の不良も防止することができる。
【０１６５】
なお、本実施の形態は、本明細書で示す他の実施の形態と、適宜組み合わせることがで
きる。
【０１６６】
（実施の形態４）
本実施の形態では、上記実施の形態と異なる作製方法で半導体装置を作製する例につい
て、図１０、図１１を用いて説明する。
【０１６７】
図１０（Ａ）は、本発明に係る半導体装置の主要な構成を説明するための上面図である
。なお、図１０（Ａ）は、一部薄膜等を省略している。
【０１６８】
図１０（Ａ）に示す半導体装置は、ＳＯＩ基板を用いて薄膜トランジスタが形成されて
いる。ＳＯＩ基板の表面シリコン層７１２は島状に形成されており、島状のシリコン層７
１２を横断するように、ゲート電極を形成する導電層７１８が設けられている。また、島
状のシリコン層７１２の側面と接して絶縁層７１０が設けられている。ここでは、島状の
シリコン層７１２の全周囲を囲うように絶縁層７１０を設ける例を図示しているが、少な
くとも導電層７１８及びシリコン層７１２が重畳する領域に島状のシリコン層７１２の側
面と接する絶縁層を設ければよい。もちろん、導電層７１８及びシリコン層７１２が重畳
する領域及びその近傍に、島状のシリコン層７１２の側面と接する絶縁層を設けてもよい
。
【０１６９】
シリコン層７１２には、チャネル形成領域と、ソース領域又はドレイン領域として機能
する一対の高濃度不純物領域７２２が形成されている。チャネル形成領域は、導電層７１
８と略一致する領域のシリコン層７１２に形成されており、一対の高濃度不純物領域７２
２の間に位置する。なお、チャネル形成領域と高濃度不純物領域７２２との間に、ＬＤＤ
領域として機能する低濃度不純物領域を形成してもよい。
【０１７０】
次に、図１０（Ａ）に示す半導体装置の作製方法について説明する。ここでは、図１０
（Ａ）における破線Ｏ−Ｐ間の断面図、及び破線Ｑ−Ｒ間の断面図を用いて、具体的に説
明する。
【０１７１】
まず、支持基板７００上に絶縁層７０２、島状の第１のシリコン層７０６が順に積層形
成されたＳＯＩ基板７０５を準備する（図１０（Ｂ１）、（Ｂ２）参照）。次に、第１の
シリコン層７０６を覆うように第１の絶縁層７０８を形成する（図１０（Ｃ１）、（Ｃ２
）参照）。なお、第１の絶縁層７０８を形成するまでは、上記実施の形態３で示したＳＯ
Ｉ基板４０５、第１の絶縁層４０８の説明に準じるため、簡略して以下に説明する。
【０１７２】
ＳＯＩ基板７０５は、ＳＩＭＯＸ基板や貼り合わせ基板等の公知のＳＯＩ基板を用いる
ことができる。ＳＯＩ基板７０５の表面シリコン層を選択的にエッチングして、島状の第
１のシリコン層７０６を形成する。第１のシリコン層７０６の膜厚は、１０ｎｍ乃至１５
０ｎｍ、好ましくは３０ｎｍ乃至１００ｎｍの範囲で形成する。また、第１のシリコン層
７０６の端部は垂直形状となるように形成してもよいし、端部がテーパ形状となるように
形成してもよい。本実施の形態では、第１のシリコン層７０６の端部をテーパ角が３０°
以上８５°未満、又は４５°以上６０°未満の緩やかなテーパ形状となるように形成する
。第１のシリコン層７０６の端部をテーパ形状としてコーナー部（角部）を緩やかにする
ことにより、該コーナー部に電界が集中することを緩和することができる。なお、本発明
は特に限定されず、上記実施の形態で示すように、テーパ角が４５°以上９５°未満、よ
り好ましくはテーパ角が６０°以上９５°未満と垂直形状に近くなるように形成してもよ
い。
【０１７３】
第１の絶縁層７０８は、ＣＶＤ法やスパッタリング法により、酸化シリコン、窒化シリ
コン、酸化窒化シリコン、窒化酸化シリコン、ＳｉＯＦ、ＳｉＯＣ、ＤＬＣ、ポーラスシ
リカ等の材料を用いて形成する。また、第１の絶縁層７０８は、少なくとも第１のシリコ
ン層７０６の端部を十分に被覆できる膜厚で形成する。好ましくは、下層の第１のシリコ
ン層７０６と比較して、１．５倍乃至３倍の膜厚で形成するとよい。なお、第１の絶縁層
７０８は、後にシリコン層の一表面上に形成する第３の絶縁層７１６より誘電率が小さい
材料を用いて形成するのが好ましい。第１の絶縁層７０８は、後に完成する半導体装置に
おいてゲート絶縁層の一部を形成し、具体的にはシリコン層の側面と接する領域のゲート
絶縁層の一部となる。第１の絶縁層７０８を低誘電率材料を用いて形成することで、シリ
コン層の端部、特にコーナー部（角部）における電界や静電気の集中を緩和することがで
きる。その結果、ゲート絶縁層の絶縁破壊や静電破壊等の不良、及びこれらの不良に起因
するリーク電流を防止することができる。
【０１７４】
次に、第１の絶縁層７０８及び第１のシリコン層７０６を、垂直方向を主体とした異方
性エッチングを行うことにより全面エッチングして、第２のシリコン層７１２と、当該第
２のシリコン層７１２の側面と接する第２の絶縁層７１０を形成する（図１１（Ａ１）、
（Ａ２）参照）。
【０１７５】
第１の絶縁層７０８及び第１のシリコン層７０６は、エッチング選択比が低い条件、又
はエッチング選択比を極力小さくした条件（エッチング選択比が１に近くなる条件）でエ
ッチングする。つまり、第１の絶縁層７０８及び第１のシリコン層７０６を、ほぼ同じエ
ッチング速度でエッチングしていく。よって、エッチングにより形成される第２のシリコ
ン層７１２及び第２の絶縁層７１０は、底面（絶縁層７０２と接する面）からの垂直方向
の高さが略一致する。
【０１７６】
第１の絶縁層７０８及び第１のシリコン層７０６のエッチング方法は、垂直方向を主体
とした異方性エッチングを行えるものであれば特に限定されない。例えば、平行平板方式
、マグネトロン方式、２周波方式、ＥＣＲ方式、ヘリコン方式、又はＩＣＰ方式などの反
応性イオンエッチングを用いることができる。
【０１７７】
エッチングガスは、第１の絶縁層７０８及び第１のシリコン層７０６のエッチング選択
比を極力小さくできるもの、つまりエッチング選択比が１に近くなるものを適宜選択すれ
ばよい。例えば、ＣＨＦ３、ＣＦ４、Ｃ４Ｆ８、Ｃ２Ｆ６、ＮＦ３等のフッ素系のガスに
Ｏ２ガスを適宜加えていくことにより、両者のエッチング選択比を小さくすることが可能
である。さらにＨｅやＡｒなどの不活性ガスを適宜加えてもよい。また、エッチングガス
として、フッ素系のガスに代えてＨＢｒ、又はＨＢｒとＣｌ２との混合ガスガスを用いて
もよい。ＨＢｒガスを用いる場合も、ＨｅやＡｒなどの不活性ガスを適宜加えてもよい。
【０１７８】
なお、第１の絶縁層７０８及び第１のシリコン層７０６は、エッチング後の第２のシリ
コン層７１２の膜厚が、第１のシリコン層７０６と比較して０．２倍乃至０．８倍、好ま
しくは０．４倍乃至０．６倍程度となるようにエッチングして薄膜化する。また、第２の
シリコン層７１２の端部は、テーパ角が３０°以上８５°未満、又はテーパ角が４５°以
上６０°未満の緩やかなテーパ形状となるようにする。なお、本発明は特に限定されず、
上記実施の形態で示すように、テーパ角が４５°以上９５°未満、より好ましくはテーパ
角が６０°以上９５°未満と垂直形状に近くなるように形成してもよい。
【０１７９】
次に、第２のシリコン層７１２及び第２の絶縁層７１０を覆うように第３の絶縁層７１
６を形成する（図１１（Ｂ１）、（Ｂ２）参照）。
【０１８０】
第３の絶縁層７１６は、ＣＶＤ法やスパッタリング法により、酸化シリコン、窒化シリ
コン、酸化窒化シリコン、窒化酸化シリコン、窒化アルミニウム等の材料を用いて形成す
る。第３の絶縁層７１６は、これらの材料のうち１つ又は複数を用いて、単層構造又は積
層構造で形成する。また、第３の絶縁層７１６は、高密度プラズマ処理による固相酸化若
しくは固相窒化で形成することもできる。例えば、第２のシリコン層７１２及び第２の絶
縁層７１０を、高密度プラズマ処理により固相酸化又は固相窒化して、第３の絶縁層７１
６を形成することができる。第３の絶縁層７１６は、膜厚１ｎｍ乃至５０ｎｍ、好ましく
は膜厚１ｎｍ乃至２０ｎｍ、より好ましくは１ｎｍ乃至１０ｎｍの範囲で形成する。
【０１８１】
以上までで形成される第２の絶縁層７１０及び第３の絶縁層７１６は、ゲート絶縁層と
して機能する。すなわち、本発明に係るゲート絶縁層は、一体物ではなく複数の絶縁層の
複合物で形成される。シリコン層の側面と接する第２の絶縁層７１０を形成し、さらにシ
リコン層の一表面上に第３の絶縁層７１６を形成することで、シリコン層の端部において
ゲート絶縁層の被覆性を良好にすることができる。よって、ゲート絶縁層の被覆不良によ
りゲート電極を形成する導電層とシリコン層とが短絡することや、静電破壊を防止するこ
とができる。
【０１８２】
なお、第２の絶縁層７１０及び第３の絶縁層７１６で形成されるゲート絶縁層は、第２
のシリコン層７１２の一表面上に形成された領域と比較して、第２のシリコン層７１２の
側面と接する領域の膜厚が厚いことが好ましい。例えば、第２のシリコン層７１２の一表
面上からの垂直線とゲート絶縁層の最表面との交点までの距離を膜厚ｔ１する。第２のシ
リコン層７１２の側面からの垂直線とゲート絶縁層の最表面との交点までの距離を膜厚ｔ
２とする。ゲート絶縁層は、膜厚ｔ１＜膜厚ｔ２を満たすことが好ましい。なお、第２の
シリコン層７１２の側面と接する領域の膜厚は一定値であるとは限らないが、この場合は
、膜厚ｔ１と比較して、膜厚ｔ２の最小値が同じ或いは膜厚ｔ１より大きいことが好まし
い。このようにすることで、シリコン層の端部をゲート絶縁層により十分に被覆すること
ができる。好ましくは第２のシリコン層７１２の側面と接する領域のゲート絶縁層の膜厚
を厚くすることで、第２のシリコン層７１２の端部に掛かる電界を緩和することができ、
リーク電流の発生等を防止することができる。
【０１８３】
また、第２の絶縁層７１０及び第３の絶縁層７１６で形成されるゲート絶縁層は、第２
のシリコン層７１２の一表面上に形成された領域と比較して、第２のシリコン層７１２の
側面と接する領域の誘電率が小さいことが好ましい。例えば、第３の絶縁層７１６と比較
して、第２の絶縁層７１０の誘電率を小さくすることで、第２のシリコン層７１２の側面
と接する領域のゲート絶縁層の誘電率を小さくすることができる。好ましくは、第２の絶
縁層７１０を誘電率４以下の低誘電率材料を用いて形成するとよい。ゲート絶縁層におい
て、シリコン層の一表面上と比較して、シリコン層の側面と接する領域の誘電率を小さく
することで、局所的に過度な電界等のストレスがゲート絶縁層に加わることを防止できる
ため好ましい。
【０１８４】
次に、第３の絶縁層７１６を介して第２のシリコン層７１２上にゲート電極として機能
する導電層７１８を形成する。導電層７１８をマスクとして第２のシリコン層７１２に一
導電型を付与する不純物元素を添加して、チャネル形成領域７２０、ソース領域又はドレ
イン領域として機能する高濃度不純物領域７２２を形成する（図１１（Ｃ１）、（Ｃ２）
参照）。
【０１８５】
導電層７１８は、タンタル（Ｔａ）、タングステン（Ｗ）、チタン（Ｔｉ）、モリブデ
ン（Ｍｏ）、クロム（Ｃｒ）、アルミニウム（Ａｌ）、銅（Ｃｕ）、又はニオブ（Ｎｂ）
等の金属元素、又は当該金属元素を含む合金材料若しくは化合物材料を用いて形成するこ
とができる。また、リン等の一導電型を付与する不純物元素が添加された多結晶シリコン
に代表される半導体材料を用いて形成することもできる。ゲート電極として機能する導電
層はこれらの材料のうち１つ又は複数を用いて、単層構造又は積層構造で形成することが
でき、膜厚１００ｎｍ乃至１０００ｎｍ、好ましくは膜厚２００ｎｍ乃至８００ｎｍ、よ
り好ましくは３００ｎｍ乃至５００ｎｍの範囲で形成するとよい。また、ゲート電極とし
て機能する導電層は、上述の材料を用いてＣＶＤ法やスパッタリング法により全面に形成
した後、選択的にエッチングして所望の形状に加工すればよい。
【０１８６】
一導電型を付与する不純物元素としては、リン（Ｐ）やヒ素（Ａｓ）等のｎ型を付与す
る不純物元素、ボロン（Ｂ）やアルミニウム（Ａｌ）やガリウム（Ｇａ）等のｐ型を付与
する不純物元素を用いることができる。
【０１８７】
以上により、本発明を適用した薄膜トランジスタ７３０を形成することができる。
【０１８８】
また、第２のシリコン層７１２に一導電型を付与する不純物元素を添加した後、熱処理
を行うことにより、添加した不純物元素を活性化することができる。熱処理は、レーザビ
ーム照射、又はＲＴＡ若しくはファーネスアニール炉を用いて行うことができる。具体的
には、４００℃乃至７００℃、好ましくは５００℃乃至５５０℃の温度範囲で熱処理を行
うのが好ましい。また、熱処理は窒素雰囲気下で行うことが好ましい。例えば、５５０℃
４時間の加熱を行うことにより、活性化を行うことができる。また、第２のシリコン層７
１２の一部に非晶質領域がある場合には、熱処理を行うことにより、不純物元素の活性化
とともにシリコン層の再結晶化を行うこともできる。
【０１８９】
なお、本実施の形態で示したＴＦＴの構造は一例であり、図示した構造に限定されるも
のではない。例えば、直列に接続された少なくとも２つ以上のチャネル形成領域を含んだ
シリコン層と、それぞれのチャネル形成領域に電界を印加する少なくとも２つ以上のゲー
ト電極層と、を有するマルチゲート構造を用いてもよい。その他、ＴＦＴのシリコン層に
ＬＤＤ領域を形成してもよい。
【０１９０】
また、ゲート電極として機能する導電層は、側面をテーパ形状としてもよいし、積層構
造として各層でテーパ角度を異ならせてもよい。また、導電層の側面と接するサイドウォ
ールといわれる絶縁層を形成してもよい。
【０１９１】
本発明を適用して作製した薄膜トランジスタは、シリコン層の端部に起因する不良を低
減させることができる。特に、シリコン層の端部におけるゲート絶縁層の被覆性が良好に
なるため、ゲート電極を形成する導電層とシリコン層との短絡、素子の静電破壊等を防止
することができる。また、シリコン層の端部における電界の集中を緩和できるため、ゲー
ト絶縁層の絶縁破壊や静電破壊等の絶縁不良を低減することができる。よって、信頼性の
高い半導体装置を作製することができる。また、半導体装置を歩留まり良く製造すること
も可能になる。
【０１９２】
また、本発明を適用することで、シリコン層の端部に起因する不良を低減させるととも
に、シリコン層の薄膜化を図ることもできる。
【０１９３】
なお、本実施の形態は、本明細書で示す他の実施の形態と、適宜組み合わせることがで
きる。
【０１９４】
（実施の形態５）
本実施の形態では、上記実施の形態と異なる作製方法で半導体装置を作製する例につい
て、図１３乃至図１５を用いて説明する。
【０１９５】
図１３（Ａ）は、本発明に係る半導体装置の主要な構成を説明するための上面図である
。なお、図１３（Ａ）は、一部薄膜等を省略している。
【０１９６】
図１３（Ａ）に示す半導体装置は、ＳＯＩ基板を用いて薄膜トランジスタが形成されて
いる。ＳＯＩ基板の表面シリコン層は島状に形成されており、島状のシリコン層５１６を
横断するように、ゲート電極を形成する導電層５２６が設けられている。また、島状のシ
リコン層５１６の側面と接して絶縁層５２０が設けられている。ここでは、島状のシリコ
ン層５１６の全周囲を囲うように絶縁層５２０を設ける例を図示しているが、少なくとも
導電層５２６及びシリコン層５１６が重畳する領域に島状のシリコン層５１６の側面と接
する絶縁層を設ければよい。もちろん、導電層５２６及びシリコン層５１６が重畳する領
域及びその近傍に、島状のシリコン層５１６の側面と接する絶縁層を設けてもよい。
【０１９７】
シリコン層５１６には、チャネル形成領域５２８と、ソース領域又はドレイン領域とし
て機能する一対の高濃度不純物領域５３０が形成されている。チャネル形成領域５２８は
、導電層５２６と略一致する領域のシリコン層５１６に形成されており、一対の高濃度不
純物領域５３０の間に位置する。また、チャネル形成領域と高濃度不純物領域５３０との
間に低濃度不純物領域が形成されていてもよい。
【０１９８】
次に、図１３（Ａ）に示す半導体装置の作製方法について説明する。ここでは、図１３
（Ａ）における破線Ｏ−Ｐ間の断面図、及び破線Ｑ−Ｒ間の断面図を用いて、具体的に説
明する。
【０１９９】
まず、支持基板５００上に絶縁層５０２、島状の第１のシリコン層５０６が順に積層形
成されたＳＯＩ基板５０５を準備する（図１３（Ｂ１）、（Ｂ２）参照）。なお。島状の
シリコン層が形成されたＳＯＩ基板５０５の説明は、上記実施の形態１で示したＳＯＩ基
板１０５、島状のシリコン層１０６の説明に準じるため、簡略して以下に説明する。
【０２００】
ＳＯＩ基板５０５は、ＳＩＭＯＸ基板や貼り合わせ基板等の公知のＳＯＩ基板を用いる
ことができる。ＳＯＩ基板５０５の表面シリコン層を選択的にエッチングして、島状の第
１のシリコン層５０６を形成する。第１のシリコン層５０６の膜厚は、１０ｎｍ乃至１５
０ｎｍ、好ましくは４０ｎｍ乃至８０ｎｍの範囲で形成するとよい。本実施の形態では、
第１のシリコン層５０６は膜厚５０ｎｍの単結晶シリコン層とする。
【０２０１】
また、第１のシリコン層５０６の端部は垂直形状となるように形成してもよいし、端部
がテーパ形状となるように形成してもよい。本実施の形態では、テーパ角が４５°以上９
５°未満、より好ましくはテーパ角が６０°以上９５°未満と垂直形状に近くなるように
形成する。第１のシリコン層５０６の端部のテーパ形状を急峻にすることで、後に完成す
る半導体装置の寄生チャネルを低減することができる。なお、本発明は特に限定されず、
第１のシリコン層５０６の端部をテーパ角が３０°以上８５°未満、又は４５°以上６０
°未満の緩やかなテーパ形状としてもよい。
【０２０２】
次に、高密度プラズマ処理により第１のシリコン層５０６及び絶縁層５０２の表面を窒
化して、第１の絶縁層５１０を形成する（図１３（Ｃ１）、（Ｃ２）参照）。ここで行う
プラズマ処理は、マイクロ波（代表的には２．４５ＧＨｚ）等の高周波で励起され、電子
密度が１×１０１１ｃｍ−３以上１×１０１３ｃｍ−３以下、且つ電子温度が０．５ｅＶ
以上１．５ｅＶ以下のプラズマ５０８を利用して行うことが好ましい。また、固相窒化処
理を行うため、窒素を含む雰囲気下でプラズマ処理を行う。窒素を含む雰囲気下とは、例
えば窒素と希ガスを含む雰囲気下、又はＮＨ３と希ガスを含む雰囲気下である。希ガスと
しては、Ａｒ、又はＡｒとＫｒとの混合を用いることが好ましい。詳しくは、実施の形態
１で示した高密度プラズマ処理を利用すればよい。高密度プラズマ処理を用いて第１の絶
縁層５１０を形成することで、ＣＶＤ法やスパッタリング法を用いて形成した絶縁層より
も緻密な絶縁層を形成することができる。また、高密度プラズマ処理を用いて第１の絶縁
層５１０を形成することで、８００℃〜１１００℃で熱酸化した場合に問題となるバーズ
ビークが形成されることなく、熱酸化法で得られる絶縁層と同様に良好な絶縁層を得るこ
とができる。
【０２０３】
第１の絶縁層５１０の一部は、後に完成する薄膜トランジスタのゲート絶縁層として機
能する。よって、緻密な絶縁層を形成することで絶縁耐圧を向上させることができる。特
に、第１の絶縁層５１０の一部は、不良が生じやすいシリコン層端部の側面と接するゲー
ト絶縁層を形成するため、信頼性の高い半導体装置を作製することが可能になる。第１の
絶縁層５１０は、膜厚１ｎｍ乃至１０ｎｍ、好ましくは１ｎｍ乃至５ｎｍの範囲で形成す
る。本実施の形態では、第１の絶縁層５１０として窒化シリコン層を、第１のシリコン層
５０６表面、或いは第１のシリコン層５０６及び絶縁層５０２の表面に形成する。
【０２０４】
次に、第１の絶縁層５１０上に第２の絶縁層５１２を形成する（図１４（Ａ１）、（Ａ
２）参照）。第２の絶縁層５１２は、ＣＶＤ法やスパッタリング法により、酸化シリコン
、窒化シリコン、酸化窒化シリコン、窒化酸化シリコン、ＳｉＯＦ、ＳｉＯＣ、ＤＬＣ、
ポーラスシリカ等の材料を用いて形成する。第２の絶縁層５１２は、第１のシリコン層５
０６の端部を覆う第１の絶縁層５１０を十分に被覆できる膜厚で形成する。好ましくは、
第１のシリコン層５０６及び第１の絶縁層５１０の膜厚と比較して、１．５倍乃至３倍の
膜厚で形成するとよい。本実施の形態では、第２の絶縁層５１２として、酸化窒化シリコ
ン層を膜厚１５０ｎｍで形成する。
【０２０５】
なお、第２の絶縁層５１２は、後にシリコン層の一表面上に形成する絶縁層５２２より
誘電率が小さい材料を用いて形成するのが好ましい。第２の絶縁層５１２は、後に完成す
る半導体装置においてゲート絶縁層の一部、詳しくはシリコン層の端部近傍のゲート絶縁
層を形成する。よって、シリコン層の端部近傍のゲート絶縁層を形成する第２の絶縁層５
１２を、シリコン層の一表面上に形成するゲート絶縁層よりも低い誘電率材料を用いて形
成することで、シリコン層の端部、特にコーナー部（角部）での電界や静電気の集中を緩
和することができ、ゲート絶縁層の絶縁不良を低減できるため好ましい。
【０２０６】
次に、第２の絶縁層５１２を、垂直方向を主体とした異方性エッチングにより選択的に
エッチングして、第１の絶縁層５１０を介して第１のシリコン層５０６の側面に位置する
第３の絶縁層５１４を形成する（図１４（Ｂ１）、（Ｂ２）参照）。
【０２０７】
第３の絶縁層５１４は、垂直方向を主体とした異方性のドライエッチングにより、選択
的に第２の絶縁層５１２をエッチングして形成する。エッチングは、第１の絶縁層５１０
を介して第１のシリコン層５０６の一表面上に形成された第２の絶縁層５１２、及び第１
の絶縁層を５１０を介して絶縁層５０２上に形成された第２の絶縁層５１２から進行して
いく。よって、第１のシリコン層５０６の一表面上に形成された第１の絶縁層５１０が露
出したところでエッチングを停止させることにより、第１のシリコン層５０６の側面の領
域に第２の絶縁層５１２が残存して第３の絶縁層５１４が形成される。なお、第１のシリ
コン層５０６の端部を垂直形状に近い形状とすることで、第１のシリコン層５０６の側面
に近接する領域のみに、第３の絶縁層５１４を容易に形成することができる。
【０２０８】
第３の絶縁層５１４の形状は、薄膜を形成する材料、エッチング条件等を適宜選択する
ことにより制御することができる。また、第３の絶縁層５１４を形成するためのエッチン
グ方法は、垂直方向を主体とした異方性エッチングを行えるものであれば特に限定されな
い。例えば、平行平板方式、マグネトロン方式、２周波方式、ＥＣＲ方式、ヘリコン方式
、又はＩＣＰ方式などの反応性イオンエッチングを用いることができる。エッチングに用
いるガス（エッチングガス）は、少なくとも第２の絶縁層５１２と第１のシリコン層５０
６とのエッチング選択比を確保できるものを選択すればよい。例えば、ＣＨＦ３、ＣＦ４
、Ｃ４Ｆ８、Ｃ２Ｆ６、ＮＦ３等のフッ素系のガスを用いることができる。その他、Ｈｅ
やＡｒやＸｅなどの不活性ガス、又はＯ２ガス、Ｈ２ガスを適宜加えてもよい。本実施の
形態では、第２の絶縁層５１２のエッチングは、ＩＣＰ方式の反応性イオンエッチングに
より、エッチングガスとしてＣＨＦ３ガスおよびＨｅガスを用いて行う。
【０２０９】
次に、第１の絶縁層５１０、第３の絶縁層５１４及び第１のシリコン層５０６を、垂直
方向を主体とした異方性エッチングにより全面エッチングして薄膜化し、それぞれ第４の
絶縁層５１８、第５の絶縁層５２０、及び第２のシリコン層５１６を形成する（図１４（
Ｃ１）、（Ｃ２）参照）。
【０２１０】
第１の絶縁層５１０、第３の絶縁層５１４及び第１のシリコン層５０６は、選択比が低
い条件、又はエッチング選択比を極力小さくした条件（エッチング選択比が１に近くなる
条件）でエッチングする。すなわち、第１の絶縁層５１０、第３の絶縁層５１４及び第１
のシリコン層５０６を、ほぼ同じエッチング速度でエッチングしていく。よって、エッチ
ング後の第４の絶縁層５１８、第５の絶縁層５２０、及び第２のシリコン層５１６は、垂
直方向の高さが略一致するように形成される。好ましくは、第２のシリコン層５１６の膜
厚が３０ｎｍ乃至１００ｎｍの範囲となるようにエッチングする。また、第２のシリコン
層５１６は、端部のテーパ角が４５°以上９５°未満、より好ましくはテーパ角が６０°
以上９５°未満と垂直形状に近くなるように形成するとよい。本実施の形態では、膜厚５
０ｎｍの第１のシリコン層５０６をエッチングして、膜厚２５ｎｍの第２のシリコン層５
１６を形成する。このとき、第２のシリコン層５１６端部が垂直形状に近くなるように形
成する。
【０２１１】
第１の絶縁層５１０、第３の絶縁層５１４及び第１のシリコン層５０６のエッチング方
法は、垂直方向を主体とした異方性エッチングを行えるものであれば特に限定されない。
例えば、平行平板方式、マグネトロン方式、２周波方式、ＥＣＲ方式、ヘリコン方式、又
はＩＣＰ方式などの反応性イオンエッチングを用いることができる。
【０２１２】
エッチングガスは、第１の絶縁層５１０、第３の絶縁層５１４及び第１のシリコン層５
０６のエッチング選択比を極力小さくできるもの、つまりエッチング選択比が１に近くな
るものを適宜選択すればよい。例えば、ＣＨＦ３、ＣＦ４、Ｃ４Ｆ８、Ｃ２Ｆ６、ＮＦ３
等のフッ素系のガスにＯ２ガスを適宜加えていくことにより、両者のエッチング選択比を
小さくすることが可能である。さらにＨｅやＡｒやＸｅなどの不活性ガスを適宜加えても
よい。また、エッチングガスとして、フッ素系のガスに代えてＨＢｒガス、又はＨＢｒと
Ｃｌ２との混合ガスを用いてもよい。ＨＢｒガスを用いる場合も、ＨｅやＡｒなどの不活
性ガスを適宜加えてもよい。
【０２１３】
なお、このとき形成される第５の絶縁層５２０は、第４の絶縁層５１８と接しない面を
、第２のシリコン層５１６の側面に対して凸形状に湾曲するように形成するのが好ましい
。もちろん、本発明は特に限定されず、第５の絶縁層５２０は丸みを帯びた形状でなく、
角を有する形状としてもよいが、第５の絶縁層５２０のコーナー部を緩やかな形状とする
ことで、上層に積層される層（ここでは、第６の絶縁層５２２）の被覆性を良好にするこ
とができる。
【０２１４】
次に、第２のシリコン層５１６上に第６の絶縁層５２２を形成する（図１５（Ａ１）、
（Ａ２）参照）。
【０２１５】
第６の絶縁層５２２は、ＣＶＤ法やスパッタリング法により、酸化シリコン、窒化シリ
コン、酸化窒化シリコン、窒化酸化シリコン、窒化アルミニウム等の材料を用いて形成す
る。第６の絶縁層５２２は、これらの材料のうち１つ又は複数を用いて、単層構造又は積
層構造で形成する。また、第６の絶縁層５２２は、高密度プラズマ処理による固相酸化若
しくは固相窒化で形成することもできる。例えば、高密度プラズマ処理により第２のシリ
コン層５１６、第４の絶縁層５１８及び第５の絶縁層５２０の表面を酸化又は窒化して、
第６の絶縁層５２２を形成することができる。第６の絶縁層５２２は、第２のシリコン層
５１６の一表面上の膜厚を１ｎｍ乃至１５ｎｍ、好ましくは１ｎｍ乃至１０ｎｍの範囲で
形成する。なお、第６の絶縁層５２２は、少なくとも第２のシリコン層５１６の一表面上
に形成すればよく、第５の絶縁層５２０及び第４の絶縁層５１８上に形成することもでき
る。本実施の形態では、第６の絶縁層５２２として酸化窒化シリコン層を、膜厚１０ｎｍ
で形成する。
【０２１６】
以上までで形成される第６の絶縁層５２２、第５の絶縁層５２０及び第４の絶縁層５１
８は、ゲート絶縁層として機能する。すなわち、本発明に係るゲート絶縁層は、一体物で
はなく複数の絶縁層の複合物で形成される。シリコン層の側面と接して第４の絶縁層５１
８及び第５の絶縁層５２０を形成し、さらにシリコン層の一表面上に第６の絶縁層５２２
を形成することで、シリコン層の端部においてゲート絶縁層の被覆性を良好にすることが
できる。また、シリコン層を島状に加工する際のエッチングやフッ酸等を用いた洗浄によ
り、シリコン層の端部下及びその近傍の絶縁層（支持基板上の絶縁層）が除去された場合
でも、シリコン層を十分に被覆することができる。よって、シリコン層端部におけるゲー
ト絶縁層の被覆不良によるゲート電極を形成する導電層とシリコン層との短絡や、リーク
電流の発生、静電破壊等を防止することができる。また、シリコン層の端部に接して、高
密度プラズマ処理を利用した緻密な絶縁層を形成することで、ゲート絶縁層の特性を向上
させることができる。
【０２１７】
なお、第６の絶縁層５２２、第５の絶縁層５２０及び第４の絶縁層５１８で形成される
ゲート絶縁層は、第２のシリコン層５１６の一表面上に形成された領域と比較して、第２
のシリコン層５１６の側面と接する領域の膜厚が厚いことが好ましい。例えば、第２のシ
リコン層５１６の一表面上からの垂直線とゲート絶縁層の最表面との交点までの距離を膜
厚ｔ１する。第２のシリコン層５１６の側面からの垂直線とゲート絶縁層の最表面との交
点までの距離を膜厚ｔ２とする。ゲート絶縁層は、膜厚ｔ１＜膜厚ｔ２を満たすことが好
ましい。第２のシリコン層５１６の側面と接する領域の膜厚は一定値であるとは限らない
が、この場合は、膜厚ｔ１と比較して、膜厚ｔ２の最小値が同じ或いは膜厚ｔ１より大き
いことが好ましい。このようにゲート絶縁層により第２のシリコン層５１６の端部を十分
に被覆する、好ましくは第２のシリコン層５１６の側面と接する領域の膜厚を厚くするこ
とで、第２のシリコン層５１６の端部に掛かる電界を緩和することができ、リーク電流の
発生等を防止することができる。
【０２１８】
次に、第６の絶縁層５２２を介して第２のシリコン層５１６上にゲート電極として機能
する導電層５２４、導電層５２６を順に形成する。導電層５２４、５２６をマスクとして
第２のシリコン層５１６に一導電型を付与する不純物元素を添加して、チャネル形成領域
５２８、ソース領域又はドレイン領域として機能する高濃度不純物領域５３０を形成する
（図１５（Ｂ１）、（Ｂ２）参照）。
【０２１９】
導電層５２４、５２６は、タンタル（Ｔａ）、タングステン（Ｗ）、チタン（Ｔｉ）、
モリブデン（Ｍｏ）、クロム（Ｃｒ）、アルミニウム（Ａｌ）、銅（Ｃｕ）、又はニオブ
（Ｎｂ）等の金属元素、又は当該金属元素を含む合金材料若しくは化合物材料を用いて形
成することができる。また、リン等の一導電型を付与する不純物元素が添加された多結晶
シリコンに代表される半導体材料を用いて形成することもできる。ゲート電極として機能
する導電層はこれらの材料のうち１つ又は複数を用いて、単層構造又は積層構造で形成す
ることができ、膜厚１００ｎｍ乃至１０００ｎｍ、好ましくは膜厚２００ｎｍ乃至８００
ｎｍ、より好ましくは３００ｎｍ乃至５００ｎｍの範囲で形成するとよい。また、ゲート
電極として機能する導電層は、上述の材料を用いてＣＶＤ法やスパッタリング法により全
面に形成した後、選択的にエッチングして所望の形状に加工すればよい。本実施の形態で
は、導電層５２４、５２６として、窒化タンタル層、窒化タングステン層を、それぞれ膜
厚３０ｎｍ、膜厚３７０ｎｍで順に積層形成する。
【０２２０】
一導電型を付与する不純物元素としては、リン（Ｐ）やヒ素（Ａｓ）等のｎ型を付与す
る不純物元素、ボロン（Ｂ）やアルミニウム（Ａｌ）やガリウム（Ｇａ）等のｐ型を付与
する不純物元素を用いることができる。
【０２２１】
以上により、本発明を適用した薄膜トランジスタ５４０を形成することができる。
【０２２２】
また、第２のシリコン層５１６に一導電型を付与する不純物元素を添加した後、熱処理
を行うことにより、添加した不純物元素を活性化することができる。熱処理は、レーザビ
ーム照射、又はＲＴＡ若しくはファーネスアニール炉を用いて行うことができる。具体的
には、４００℃乃至７００℃、好ましくは５００℃乃至５５０℃の温度範囲で熱処理を行
うのが好ましい。また、熱処理は窒素雰囲気下で行うことが好ましい。例えば、５５０℃
４時間の加熱を行うことにより、活性化を行うことができる。また、第２のシリコン層５
１６の一部に非晶質領域がある場合には、熱処理を行うことにより、不純物元素の活性化
とともにシリコン層の再結晶化を行うこともできる。
【０２２３】
なお、本実施の形態で示したＴＦＴの構造は一例であり、図示した構造に限定されるも
のではない。例えば、直列に接続された少なくとも２つ以上のチャネル形成領域を含んだ
シリコン層と、それぞれのチャネル形成領域に電界を印加する少なくとも２つ以上のゲー
ト電極層と、を有するマルチゲート構造を用いてもよい。その他、ＴＦＴのシリコン層に
ＬＤＤ領域を形成してもよい。
【０２２４】
また、ゲート電極として機能する導電層は、側面をテーパ形状としてもよいし、積層構
造として各層でテーパ角度を異ならせてもよい。また、導電層の側面と接するサイドウォ
ールともいわれる絶縁層を形成してもよい。
【０２２５】
本発明を適用して作製した薄膜トランジスタは、シリコン層の端部に起因する不良を低
減させることができる。特に、シリコン層の端部におけるゲート絶縁層の被覆不良を防止
することができ、シリコン層及びゲート電極を形成する導電層との短絡を防止することが
できる。また、シリコン層の端部における電界集中を緩和することができる。よって、リ
ーク電流、静電破壊等を防止、低減できるため、信頼性の高い半導体装置を作製すること
ができる。また、半導体装置を歩留まり良く製造することも可能になる。
【０２２６】
また、本実施の形態で示すように、シリコン層の側面と接して緻密な絶縁層を形成する
ことで、シリコン層の端部において絶縁耐圧が高く信頼性に優れる半導体装置を作製する
ことができる。
【０２２７】
なお、本実施の形態は、本明細書で示す他の実施の形態と、適宜組み合わせることがで
きる。
【０２２８】
（実施の形態６）
【０２２９】
本実施の形態では、上記実施の形態と異なる半導体装置及びその作製方法の例について
、図１９乃至図２５を用いて説明する。具体的には、相異なる導電型の薄膜トランジスタ
を具備する半導体装置の例を示す。
【０２３０】
図１９は、本実施の形態で示す半導体装置の上面図及び断面図であり、複数のトランジ
スタを具備する半導体装置の構成を示している。図１９（Ａ）は上面図、図１９（Ｂ）は
図１９（Ａ）における破線Ａ１−Ｂ１間の断面図を示し、図１９（Ｃ）は図１９（Ａ）に
おける破線Ａ２−Ｂ２間の断面図を示している。なお、図１９（Ａ）は、一部薄膜等の構
成要素を省略している。
【０２３１】
図１９に示す半導体装置は、ＳＯＩ基板を用いて形成されており、支持基板８００上に
絶縁層８０２を介して島状に設けられたシリコン層８０５、シリコン層８１３と、当該シ
リコン層８０５、８１３上に絶縁層８２２を介して設けられたゲート電極を形成する導電
層８２４、導電層８２６と、当該導電層８２６上に絶縁層８３６、絶縁層８３８を介して
設けられたソース電極又はドレイン電極を形成する導電層８４０と、を有している（図１
９（Ａ）乃至（Ｃ）参照）。
【０２３２】
ゲート電極は、導電層８２４及び導電層８２６の積層構造で形成されている。導電層８
２４、８２６は、島状のシリコン層８０５、８１３をそれぞれ横断するように設けられて
いる。また、導電層８２４及び導電層８２６の側面に接して絶縁層８２８が設けられてい
る。絶縁層８２８は、サイドウォールともいわれる。なお、ここではゲート電極を導電層
８２４、８２６の２層の積層構造で形成する例を示したが、本発明は特に限定されず、ゲ
ート電極は単層構造でもよいし、３層以上の積層構造でもよい。また、ゲート電極として
形成される導電層の側面をテーパ形状にしてもよいし、２層以上の導電層の積層構造とし
て各層でテーパ角度が異なるようにしてもよい。また、実施の形態１乃至５で示したゲー
ト電極の構成のいずれを適用しても構わない。
【０２３３】
島状に設けられたシリコン層８０５、８１３は、ＳＯＩ基板８０４の表面シリコン層を
用いて形成されている。島状に設けられたシリコン層８０５は、チャネル形成領域８０６
と、ＬＤＤ領域として機能する一対の低濃度不純物領域８０８と、ソース領域又はドレイ
ン領域として機能する一対の高濃度不純物領域８１０と、を有する。チャネル形成領域８
０６は、絶縁層８２２を介して導電層８２４、８２６と重なる領域のシリコン層８０５に
形成されている。低濃度不純物領域８０８は、絶縁層８２２を介して絶縁層８２８と重な
る領域のシリコン層８０５に形成されている。高濃度不純物領域８１０は、絶縁層８２２
を介して導電層８２４、導電層８２６及び絶縁層８２８と重ならない領域のシリコン層８
０５に形成されている。チャネル形成領域８０６は一対の高濃度不純物領域８１０の間に
位置しており、低濃度不純物領域８０８はチャネル形成領域８０６と高濃度不純物領域８
１０の間にそれぞれ位置している。つまり、チャネル形成領域８０６は、一対の高濃度不
純物領域８１０の間、及び一対の低濃度不純物領域８０８の間に位置しており、且つ一対
の低濃度不純物領域８０８に接して形成されている。また、高濃度不純物領域８１０は、
低濃度不純物領域８０８と比較して、高い濃度で一導電型を付与する不純物元素が添加さ
れている。また、シリコン層８０５の側面に接して、絶縁層８１２が設けられている。
【０２３４】
同様に、島状に設けられたシリコン層８１３は、チャネル形成領域８１４と、ＬＤＤ領
域として機能する低濃度不純物領域と８１６と、ソース領域又はドレイン領域として機能
する高濃度不純物領域８１８と、を有する。チャネル形成領域８１４は、絶縁層８２２を
介して導電層８２４、８２６と重なる領域のシリコン層８１３に形成されている。低濃度
不純物領域８１６は、絶縁層８２２を介して絶縁層８２８と重なる領域のシリコン層８１
３に形成されている。高濃度不純物領域８１８は、絶縁層８２２を介して導電層８２４、
導電層８２６及び絶縁層８２８と重ならない領域のシリコン層８１３に形成されている。
チャネル形成領域８１４は一対の高濃度不純物領域８１８の間に位置しており、低濃度不
純物領域８１６はチャネル形成領域８１４と高濃度不純物領域８１８の間にそれぞれ位置
している。つまり、チャネル形成領域８１４は、一対の高濃度不純物領域８１８の間、及
び一対の低濃度不純物領域８１６の間に位置しており、且つ一対の低濃度不純物領域８１
６に接して形成されている。また、高濃度不純物領域８１８は、低濃度不純物領域８１６
と比較して、高い濃度で一導電型を付与する不純物元素が添加されている。また、シリコ
ン層８１３の側面に接して、絶縁層８２０が設けられている。
【０２３５】
本実施の形態において、シリコン層８０５及びシリコン層８１３には、相異なる導電型
の不純物元素が添加されているものとする。つまり、低濃度不純物領域８０８及び高濃度
不純物領域８１０は、低濃度不純物領域８１６及び高濃度不純物領域８１８と異なる導電
型を付与する不純物元素が添加されている。
【０２３６】
シリコン層８０５及びシリコン層８１３と、ゲート電極を形成する導電層８２４、８２
６との間には、絶縁層８２２が設けられている。また、絶縁層８２２は、シリコン層８０
５の側面と接して設けられた絶縁層８１２、シリコン層８１３と接して設けられた絶縁層
８２０上にも設けられている。絶縁層８１２、絶縁層８２０、及び絶縁層８２２は、ゲー
ト絶縁層として機能する。
【０２３７】
ソース電極又はドレイン電極を形成する導電層８４０は、絶縁層８３６、絶縁層８３８
に形成された開口を介してシリコン層８０５に形成された高濃度不純物領域８１０、シリ
コン層８１３に形成された高濃度不純物領域８１８と電気的に接続されるように設けられ
ている。また、図１９に示すように、シリコン層８０５に形成された高濃度不純物領域８
１０と、シリコン層８１３に形成され、高濃度不純物領域８１０と導電型が異なる高濃度
不純物領域８１８とを電気的に接続することにより、ＣＭＯＳ回路を形成してもよい。
【０２３８】
次に、図１９で示した半導体装置の作製方法の一例に関して、図面を用いて説明する。
【０２３９】
まず、支持基板８００上に絶縁層８０２を介して島状のシリコン層８０５、８１３が形
成されたＳＯＩ基板８０４を準備する（図２０（Ａ）、図２３（Ａ）、図２４（Ａ）参照
）。
【０２４０】
ＳＯＩ基板８０４は、ＳＩＭＯＸ基板や貼り合わせ基板等の公知のＳＯＩ基板を用いる
ことができる。ＳＯＩ基板８０４の表面シリコン層を選択的にエッチングして、分離した
島状のシリコン層８０５及びシリコン層８１３を形成することができる。シリコン層８０
５、８１３の膜厚は、１０ｎｍ乃至１５０ｎｍ、好ましくは３０ｎｍ乃至１００ｎｍ又は
１０ｎｍ乃至３０ｎｍの範囲で形成する。
【０２４１】
なお、シリコン層８０５、８１３は、端部がテーパ形状となるように形成してもよいし
、垂直形状となるように形成してもよい。シリコン層の端部の形状は、等方性エッチング
又は異方性エッチング等のエッチング条件を適宜選択することにより制御することができ
る。
【０２４２】
次に、シリコン層８０５の側面と接する絶縁層８１２、及びシリコン層８１３の側面と
接する絶縁層８２０を形成する（図２０（Ｂ）、図２３（Ｂ）、図２４（Ｂ）参照）。
【０２４３】
絶縁層８１２、絶縁層８２０は、島状に設けられたシリコン層８０５及びシリコン層８
１３を覆うように絶縁層を形成し、当該絶縁層を垂直方向を主体とした異方性エッチング
を行うことにより選択的にエッチングしてシリコン層８０５、８１３の側面と接する領域
のみ残存させて形成することができる。
【０２４４】
具体的には、まず、シリコン層８０５及びシリコン層８１３を覆うように絶縁層を形成
する。当該絶縁層は、ＣＶＤ法やスパッタリング法を用いて、酸化シリコン、窒化シリコ
ン、酸化窒化シリコン、窒化酸化シリコン、ＳｉＯＦ、ＳｉＯＣ、ＤＬＣ、ポーラスシリ
カ等の材料を用いて形成する。好ましくは、後にシリコン層８０５及びシリコン層８１３
の一表面上に形成する絶縁層８２２と比較して、誘電率が小さい層を形成する。また、シ
リコン層８０５、８１３上を覆うように形成する絶縁層は、少なくともシリコン層８０５
、８１３の端部を十分に被覆できる膜厚で形成し、好ましくはシリコン層８０５、８１３
の１．５倍乃至３倍の膜厚で形成する。
【０２４５】
次に、シリコン層８０５及びシリコン層８１３を覆うように形成した絶縁層を、垂直方
向を主体とした異方性エッチングを行うことにより選択的にエッチングする。エッチング
は、シリコン層８０５の一表面上及びシリコン層８１３の一表面上に形成された絶縁層か
ら進行していく。なお、絶縁層は、シリコン層８０５の一表面上、シリコン層８１３の一
表面上及び絶縁層８０２上に、ほぼ同じ膜厚で形成されている。よって、シリコン層８０
５、８１３の一表面が露出したところでエッチングを停止させることにより、シリコン層
の８０５、８１３の側面と接する領域に絶縁層を選択的に残すことができる。残存する絶
縁層が、絶縁層８１２、８２０に相当する。ここでは、絶縁層８１２、８２０は、それぞ
れ接するシリコン層８０５、８１３の側面に対して凸形状に湾曲するように形成している
。もちろん、本発明は特に限定されず、絶縁層８１２、８２０は丸みを帯びた形状でなく
、角を有する形状としてもよい。好ましくは、絶縁層８１２、８２０のコーナー部を緩や
かな形状とすることで、上層に積層される層（ここでは絶縁層８２２）の被覆性を良好に
することができる。
【０２４６】
なお、絶縁層８１２、８２０を形成する際のエッチングの影響により、シリコン層８０
５、８１３の上層部が非晶質化する場合がある。この場合、シリコン層８０５、８１３の
非晶質化された領域を選択的にエッチングしてもよいし、レーザビームの照射、又はＲＴ
Ａ若しくはファーネスアニール炉を用いて熱処理を行い、シリコン層８０５、８１３を再
結晶化してもよい。また、シリコン層に一導電型を付与する不純物元素を添加して不純物
領域を形成した後、不純物領域を活性化するための熱処理と併せて再結晶化してもよい。
具体的には、上記実施の形態２又は実施の形態３に示すシリコン層及びそのシリコン層の
側面と接する絶縁層の形成方法を適用することができる。
【０２４７】
また、ＳＯＩ基板の表面シリコン層を、完成する薄膜トランジスタのシリコン層よりも
厚めに設定し、後の工程でシリコン層を薄膜化してもよい。例えば、ＳＯＩ基板の表面シ
リコン層の膜厚を、完成する薄膜トランジスタのシリコン層よりも２倍乃至３倍となるよ
うに制御しておく。次に、表面シリコン層を選択的にエッチングして島状に加工した後、
当該島状のシリコン層上に絶縁層を形成する。当該絶縁層及びシリコン層を、選択比が低
い条件若しくは選択比を極力小さくした条件（エッチング選択比１に近い条件）で垂直方
向を主体とした異方性エッチングを行うことにより全面エッチングして、薄膜化したシリ
コン層及びその側面と接する絶縁層を形成してもよい。具体的には、上記実施の形態４又
は実施の形態５に示すシリコン層及びその側面と接する絶縁層の形成方法を適用すること
ができる。
【０２４８】
また、上記実施の形態５に示すように、高密度プラズマ処理を用いてシリコン層の側面
と接する緻密な絶縁層（例えば、窒化シリコン層又は窒化酸化シリコン層等の窒素を含む
絶縁層）を形成してもよい。
【０２４９】
シリコン層８０５及びその側面と接する絶縁層８１２、並びにシリコン層８１３及びそ
の側面と接する絶縁層８２０は、上記実施の形態１乃至５のいずれかの方法を用いて形成
してもよい。ここでは、実施の形態１で示す方法を用いるものとする。
【０２５０】
また、後に完成する薄膜トランジスタの閾値電圧を制御するため、シリコン層８０５、
８１３に低濃度の一導電型を付与する不純物元素を添加してもよい。この場合は、完成す
る薄膜トランジスタのチャネル形成領域にも不純物元素が添加されることになる。一導電
型を付与する不純物元素としては、リン（Ｐ）やヒ素（Ａｓ）等のｎ型を付与する不純物
元素、ボロン（Ｂ）やアルミニウム（Ａｌ）やガリウム（Ｇａ）等のｐ型を付与する不純
物元素を用いることができる。例えば、不純物元素としてボロンを用いて、５×１０１５
ｃｍ−３乃至５×１０１７ｃｍ−３の濃度でシリコン層８０５、８１３に含まれるように
添加することが可能である。なお、シリコン層８０５、８１３には、異なる濃度の不純物
元素を添加してもよいし、異なる導電型の不純物元素を添加してもよい。
【０２５１】
次に、シリコン層８０５及びその側面と接する絶縁層８１２、並びにシリコン層８１３
及びその側面と接する絶縁層８２０上に絶縁層８２２を形成する（図２０（Ｃ）、図２４
（Ｃ）参照）。
【０２５２】
絶縁層８２２は、ＣＶＤ法やスパッタリング法により、酸化シリコン、窒化シリコン、
酸化窒化シリコン、窒化酸化シリコン、窒化アルミニウム等の材料を用いて形成する。好
ましくは、シリコン層８０５の側面と接する絶縁層８１２、及びシリコン層８１３の側面
と接する絶縁層８２０よりも誘電率が大きい材料を用いて形成するとよい。絶縁層８２２
は、上述した材料のうち１つ又は複数を用いて単層構造又は積層構造で形成する。また、
絶縁層８２２は、高密度プラズマ処理によるシリコン層８０５、８１３の固相酸化若しく
は固相窒化で形成してもよい。
【０２５３】
絶縁層８１２、絶縁層８２０、及び絶縁層８２２はゲート絶縁層を形成する。絶縁層８
２２は、少なくともシリコン層８０５、８１３の一表面上に形成する。本実施の形態では
、シリコン層８０５及びその側面と接する絶縁層８１２、並びにシリコン層８１３及びそ
の側面と接する絶縁層８２０を覆うように、絶縁層８２２を形成する。すなわち、本実施
の形態に係るゲート絶縁層は、一体物ではなく複数の絶縁層の複合物で構成される。なお
、複数の絶縁層の境界は明確なものでなくともよい。このように、シリコン層の側面と接
する絶縁層を、シリコン層の一表面上に形成する絶縁層と別に形成することで、シリコン
層の端部におけるゲート絶縁層の被覆性を良好にすることができる。また、シリコン層を
薄膜化した場合は、フッ酸等を用いた洗浄工程によるシリコン層下の絶縁層の意図しない
エッチングの問題が顕著になるが、本発明を適用してシリコン層の側面と接する絶縁層を
形成することで、ゲート絶縁層でシリコン層を十分に被覆することが可能になる。よって
、シリコン層の端部におけるゲート絶縁層の被覆不良に起因したシリコン層とゲート電極
層の短絡、リーク電流の発生、静電破壊等を防止することができる。
【０２５４】
なお、ゲート絶縁層は、シリコン層の一表面上に形成された領域と比較して、シリコン
層の側面と接する領域の膜厚が厚いことが好ましい。このようにゲート絶縁層によりシリ
コン層の端部を十分に被覆する、好ましくはシリコン層の側面と接する領域の膜厚を厚く
することで、シリコン層の端部に掛かる電界を緩和することができ、リーク電流の発生等
を防止することができる。
【０２５５】
また、ゲート絶縁層は、シリコン層の一表面上に形成された領域と比較して、シリコン
層の側面と接する領域の誘電率が小さいことが好ましい。このようにすることで、シリコ
ン層の端部に掛かる電界を緩和させることができ、ゲート絶縁層の絶縁不良を防止するこ
とができる。
【０２５６】
次に、絶縁層８２２上に導電層８２３、導電層８２５を順に積層形成する（図２０（Ｄ
）、図２５（Ａ）参照）。
【０２５７】
導電層８２３、導電層８２５は、ＣＶＤ法やスパッタリング法を用いて、タンタル（Ｔ
ａ）、タングステン（Ｗ）、チタン（Ｔｉ）、モリブデン（Ｍｏ）、クロム（Ｃｒ）、ア
ルミニウム（Ａｌ）、銅（Ｃｕ）、又はニオブ（Ｎｂ）等の金属元素、又は当該金属元素
を含む合金材料若しくは化合物材料を用いて形成することができる。また、リン等の一導
電型を付与する不純物元素が添加された多結晶シリコンに代表される半導体材料を用いて
形成することもできる。
【０２５８】
次に、導電層８２３、導電層８２５を選択的にエッチングして、ゲート電極として機能
する導電層８２４、導電層８２６を形成する（図２１（Ａ）、図２３（Ｃ）参照）。
【０２５９】
本実施の形態では、導電層８２３、８２５を基板上全面に成膜した後、導電層８２３、
８２５を選択的にエッチングして所望の形状に加工している。ここでは、島状のシリコン
層８０５、８１３を、分離した導電層がそれぞれ横断するようにエッチング加工している
。このとき、分離した導電層は、島状のシリコン層８０５、８１３と重ならない領域で一
体となるように加工する。つまり、連続する導電層から枝分かれした２本の導電層が、そ
れぞれ島状のシリコン層８０５、８１３を横断するように形成している。
【０２６０】
次に、シリコン層８１３上を覆うようにレジストマスク８５０を選択的に形成し、当該
レジストマスク８５０、導電層８２４及び導電層８２６をマスクとして、シリコン層８０
５に低濃度の一導電型を付与する不純物元素８５１を添加して、不純物領域８０７を形成
する（図２１（Ｂ）参照）。不純物元素８５１としては、リンやヒ素等のｎ型を付与する
不純物元素、ボロンやアルミニウム、ガリウム等のｐ型を付与する不純物元素等を用いる
ことができる。ここでは、不純物元素８５１として、リン（Ｐ）を添加する。なお、不純
物領域８０７は、後のＬＤＤ領域として機能する低濃度不純物領域の一部を形成する。ま
た、導電層８２４、８２６下のシリコン層８０５には、チャネル形成領域８０６が形成さ
れる。
【０２６１】
次に、シリコン層８０５上を覆うようにレジストマスク８５２を選択的に形成し、当該
レジストマスク８５２、導電層８２４、導電層８２６をマスクとして、シリコン層８１３
に低濃度の一導電型を付与する不純物元素８５３を添加して、不純物領域８１５を形成す
る（図２１（Ｃ）参照）。不純物元素８５３は、上述した不純物元素８５１と同様の元素
を用いることができる。ここでは、不純物元素８５３として、先の不純物元素８５１と異
なる導電型の元素を添加するものとし、ボロン（Ｂ）を添加する。なお、不純物領域８１
５は、後のＬＤＤ領域として機能する低濃度不純物領域の一部を形成する。また、導電層
８２４、８２６下のシリコン層８１３には、チャネル形成領域８１４が形成される。
【０２６２】
次に、導電層８２４及び導電層８２６の側面と接する絶縁層８２８を形成する（図２１
（Ｄ）、図２５（Ｂ）参照）。絶縁層８２８は、ＣＶＤ法やスパッタリング法により、酸
化シリコン、窒化シリコン、酸化窒化シリコン、窒化酸化シリコン等の無機材料、有機樹
脂などの有機材料を用いて、単層構造又は積層構造の絶縁層を形成し、当該絶縁層を、垂
直方向を主体とした異方性エッチングにより選択的にエッチングして、導電層８２４及び
導電層８２６の側面と接する絶縁層８２８を形成することができる。絶縁層８２８はサイ
ドウォールともいわれる。ここでは、絶縁層８２８は、導電層８２４、８２６の側面と接
しない面を湾曲状に形成する。具体的には、任意の曲率を有し、接する導電層８２４、８
２６の側面に対して凸形状に湾曲するように形成する。もちろん、本発明は特に限定され
ず、絶縁層８２８は丸みを帯びた形状でなく、角を有する形状としてよい。なお、絶縁層
８２８は、ＬＤＤ領域として機能する低濃度不純物領域を形成する際のドーピング用マス
クとして用いることができる。
【０２６３】
次に、シリコン層８１３上を覆うようにレジストマスク８５４を選択的に形成する。当
該レジストマスク８５４、導電層８２４、８２６及び当該導電層８２４、８２６の側面と
接して設けられた絶縁層８２８をマスクとして、シリコン層８０５に高濃度の一導電型を
付与する不純物元素８５５を添加する。その結果、シリコン層８０５には、ソース領域又
はドレイン領域として機能する高濃度不純物領域８１０、ＬＤＤ領域として機能する低濃
度不純物領域８０８、チャネル形成領域８０６が形成される。不純物元素８５５は、上述
した不純物元素８５１と同様の元素を用いることができる。ここでは、不純物元素８５５
として、先の不純物元素８５１と同じ導電型の元素であるリン（Ｐ）を添加する。なお、
シリコン層８０５に添加する不純物元素８５５は、先にシリコン層８０５に添加した不純
物元素８５１よりも高い濃度とする。
【０２６４】
次に、シリコン層８０５上を覆うようにレジストマスク８５６を選択的に形成する。当
該レジストマスク８５６、導電層８２４、８２６及び当該導電層８２４、８２６の側面と
接して設けられた絶縁層８２８をマスクとして、シリコン層８１３に高濃度の一導電型を
付与する不純物元素８５７を添加する。その結果、シリコン層８１３には、ソース領域又
はドレイン領域として機能する高濃度不純物領域８１８、ＬＤＤ領域として機能する低濃
度不純物領域８１６、チャネル形成領域８１４が形成される。不純物元素８５７は、上述
した不純物元素８５１と同様の元素を用いることができる。ここでは、不純物元素８５７
として、先の不純物元素８５３と同じ導電型の元素であるボロン（Ｂ）を添加する。なお
、シリコン層８１３に添加する不純物元素８５７は、先にシリコン層８１３に添加した不
純物元素８５３よりも高い濃度とする。
【０２６５】
以上により、シリコン層８０５にソース領域又はドレイン領域として機能する高濃度不
純物領域８１０と、ＬＤＤ領域として機能する低濃度不純物領域８０８と、チャネル形成
領域８０６が形成される。また、シリコン層８１３にソース領域又はドレイン領域として
機能する高濃度不純物領域８１８と、ＬＤＤ領域として機能する低濃度不純物領域８１６
と、チャネル形成領域８１４が形成される。本実施の形態では、チャネル形成領域８０６
、８１４は、導電層８２４、８２６を用いて自己整合的に形成することができる。また、
低濃度不純物領域８０８、８１６は、導電層８２４、８２６及びその側面と接する絶縁層
８２８を用いて自己整合的に形成することができる。
【０２６６】
次に、支持基板８００上に設けられた絶縁層や導電層等を覆うように絶縁層８３６、絶
縁層８３８を形成し、当該絶縁層８３８上にシリコン層８０５に形成された高濃度不純物
領域８１０、シリコン層８１３に形成された高濃度不純物領域８１８と電気的に接続され
る導電層８４０を形成する（図２２（Ｃ）、図２３（Ｄ）、図２５（Ｃ）参照）。導電層
８４０はソース電極又はドレイン電極として機能する。
【０２６７】
絶縁層８３６、８３８は、ＣＶＤ法やスパッタリング法、塗布法等により、酸化シリコ
ン、窒化シリコン、酸化窒化シリコン、窒化酸化シリコン等の酸素若しくは窒素を含む無
機絶縁材料や、ＤＬＣ（ダイヤモンドライクカーボン）等の炭素を含む絶縁材料、エポキ
シ、ポリイミド、ポリアミド、ポリビニルフェノール、ベンゾシクロブテン、アクリル等
の有機絶縁材料またはシロキサン樹脂等のシロキサン材料を用いて形成する。なお、シロ
キサン材料とは、Ｓｉ−Ｏ−Ｓｉ結合を含む材料に相当する。シロキサンは、シリコン（
Ｓｉ）と酸素（Ｏ）との結合で骨格構造が構成される。置換基として、少なくとも水素を
含む有機基（例えばアルキル基、芳香族炭化水素）が用いられる。置換基として、フルオ
ロ基を用いることもできる。または置換基として、少なくとも水素を含む有機基と、フル
オロ基とを用いてもよい。また、絶縁層８３６、８３８は、ＣＶＤ法やスパッタリング法
を用いて絶縁層を形成した後、当該絶縁層に酸素雰囲気下又は窒素雰囲気下で高密度プラ
ズマ処理を行うことにより形成してもよい。ここでは、導電層８２６等の上層に絶縁層８
３６、８３８の２層の積層構造を形成しているが、単層構造としても３層以上の積層構造
としてもよい。
【０２６８】
導電層８４０は、ＣＶＤ法やスパッタリング法を用いて、アルミニウム（Ａｌ）、タン
グステン（Ｗ）、チタン（Ｔｉ）、タンタル（Ｔａ）、モリブデン（Ｍｏ）、ニッケル（
Ｎｉ）、白金（Ｐｔ）、銅（Ｃｕ）、金（Ａｕ）、銀（Ａｇ）、マンガン（Ｍｎ）、ネオ
ジム（Ｎｄ）、炭素（Ｃ）、シリコン（Ｓｉ）等の金属元素、又は当該金属元素を含む合
金材料若しくは化合物材料を用いて、単層構造又は積層構造で形成する。アルミニウムを
含む合金材料としては、例えば、アルミニウムを主成分としニッケルを含む材料、又は、
アルミニウムを主成分とし、ニッケルと、炭素とシリコンの一方又は両方とを含む合金材
料があげられる。導電層８４０は、例えば、バリア層とアルミニウムシリコン（Ａｌ−Ｓ
ｉ）層とバリア層の積層構造、バリア層とアルミニウムシリコン（Ａｌ−Ｓｉ）層と窒化
チタン層とバリア層の積層構造を採用することができる。なお、バリア層とは、チタン、
チタンの窒化物、モリブデン、又はモリブデンの窒化物からなる薄膜に相当する。アルミ
ニウムやアルミニウムシリコンは抵抗値が低く、安価であるため、導電層８４０を形成す
る材料として最適である。また、上層と下層のバリア層を設けると、アルミニウムやアル
ミニウムシリコンのヒロックの発生を防止することができるため好ましい。
【０２６９】
以上により、シリコン層８０５を用いて形成されたｎチャネルトランジスタ８７０及び
シリコン層８１３を用いて形成されたｐチャネルトランジスタ８８０を具備する半導体装
置を作製することができる。本実施の形態では、シリコン層８０５に形成された高濃度不
純物領域８１０と電気的に接続される導電層８４０と、シリコン層８１３に形成された高
濃度不純物領域８１８と電気的に接続される導電層８４０と、を電気的に接続させること
によって、ｎチャネルトランジスタ及びｐチャネルトランジスタを有するＣＭＯＳ回路を
形成している。
【０２７０】
なお、本実施の形態では相異なる導電型を有する２つの薄膜トランジスタを具備するＣ
ＭＯＳ回路を作製する例を示したが、本発明は特に限定されない。例えば、複数のｎチャ
ネル薄膜トランジスタを具備するｎＭＯＳ回路、複数のｐチャネル薄膜トランジスタを具
備するｐＭＯＳ回路等を作製することもできる。ｎＭＯＳ回路、ｐＭＯＳ回路等は、シリ
コン層に添加する不純物元素を適宜選択すればよい。
【０２７１】
本発明を適用した半導体装置は、シリコン層の端部の形状及び特性等の影響による不良
を防止、低減することができる。よって、信頼性の向上した半導体装置を作製することが
できる。また、歩留まり良く半導体装置を製造することが可能になる。
【０２７２】
なお、本実施の形態は、本明細書で示す他の実施の形態と、適宜組み合わせることがで
きる。
【０２７３】
（実施の形態７）
本発明に係る半導体装置は、ＣＰＵ（中央演算回路：Ｃｅｎｔｒａｌ  Ｐｒｏｃｅｓｓ
ｉｎｇ  Ｕｎｉｔ）等の集積回路に適用することができる。本実施の形態では、図１９に
示した半導体装置を適用したＣＰＵの例に関して、図面を用いて以下に説明する。
【０２７４】
図２７に示すＣＰＵ３６６０は、基板３６００上に演算回路（ＡＬＵ：Ａｒｉｔｈｍｅ
ｔｉｃ  ｌｏｇｉｃ  ｕｎｉｔ）３６０１、演算回路用制御回路部（ＡＬＵ  Ｃｏｎｔｒ
ｏｌｌｅｒ）３６０２、命令解析部（Ｉｎｓｔｒｕｃｔｉｏｎ  Ｄｅｃｏｄｅｒ）３６０
３、割り込み制御部（Ｉｎｔｅｒｒｕｐｔ  Ｃｏｎｔｒｏｌｌｅｒ）３６０４、タイミン
グ制御部（Ｔｉｍｉｎｇ  Ｃｏｎｔｒｏｌｌｅｒ）３６０５、レジスタ（Ｒｅｇｉｓｔｅ
ｒ）３６０６、レジスタ制御部（Ｒｅｇｉｓｔｅｒ  Ｃｏｎｔｒｏｌｌｅｒ）３６０７、
バスインターフェース（Ｂｕｓ  Ｉ／Ｆ）３６０８、書き換え可能なＲＯＭ３６０９、Ｒ
ＯＭインターフェース（ＲＯＭ  Ｉ／Ｆ）３６２０を主に有している。また、ＲＯＭ３６
０９及びＲＯＭインターフェース３６２０は、別チップに設けても良い。これらＣＰＵ３
６６０を構成する様々な回路は、上記実施の形態１乃至６に示した作製方法によりＳＯＩ
基板を用いて形成される薄膜トランジスタ、当該薄膜トランジスタを組み合わせたＣＭＯ
Ｓ回路、ｎＭＯＳ回路、ｐＭＯＳ回路等を用いて構成することが可能である。
【０２７５】
なお、図２７に示すＣＰＵ３６６０は、その構成を簡略化して示した一例にすぎず、実
際のＣＰＵはその用途によって多種多様な構成を有している。したがって、本発明を適用
するＣＰＵの構成は、図２７に示すものに限定されるものではない。
【０２７６】
バスインターフェース３６０８を介してＣＰＵ３６６０に入力された命令は、命令解析
部３６０３に入力され、デコードされた後、演算回路用制御回路部３６０２、割り込み制
御部３６０４、レジスタ制御部３６０７、タイミング制御部３６０５に入力される。
【０２７７】
演算回路用制御回路部３６０２、割り込み制御部３６０４、レジスタ制御部３６０７、
タイミング制御部３６０５は、デコードされた命令に基づき、各種制御を行う。具体的に
演算回路用制御回路部３６０２は、演算回路３６０１の駆動を制御するための信号を生成
する。また、割り込み制御部３６０４は、ＣＰＵ３６６０のプログラム実行中に、外部の
入出力装置や、周辺回路からの割り込み要求を、その優先度やマスク状態から判断し、処
理する。レジスタ制御部３６０７は、レジスタ３６０６のアドレスを生成し、ＣＰＵの状
態に応じてレジスタ３６０６の読み出しや書き込みを行う。
【０２７８】
またタイミング制御部３６０５は、演算回路３６０１、演算回路用制御回路部３６０２
、命令解析部３６０３、割り込み制御部３６０４、レジスタ制御部３６０７の駆動のタイ
ミングを制御する信号を生成する。例えばタイミング制御部３６０５は、基準クロック信
号ＣＬＫ１（３６２１）を元に、内部クロック信号ＣＬＫ２（３６２２）を生成する内部
クロック生成部を備えており、クロック信号ＣＬＫ２を上記各種回路に供給する。
【０２７９】
なお、本実施の形態では、本発明に係る半導体装置をＣＰＵに適用する例を説明したが
、本発明は特に限定されない。例えば、本発明を適用して、デジタルカメラ等のカメラ、
カーオーディオなどの音響再生装置、ノート型パーソナルコンピュータ、ゲーム機器、携
帯情報端末（携帯電話機、携帯型ゲーム機等）、家庭用ゲーム機などの記録媒体を備えた
画像再生装置などを作製することも可能である。
【０２８０】
本発明に係る半導体装置は、ＳＯＩ基板を用いて形成するため、バルク単結晶シリコン
基板を用いて形成する場合よりも寄生容量が少なく、高速化及び低消費電力化を図ること
ができる。これは、ＳＯＩ基板はチャネル形成領域及びソース領域又はドレイン領域が形
成される表面シリコン層の下に、埋め込み酸化膜層が形成されているためである。また、
本発明を適用した半導体装置は、シリコン層の端部の形状及び特性等の影響による不良を
防止し、リーク電流の発生を防止できる。また、シリコン層を薄膜化した場合にも、シリ
コン層端部の特性の影響による不良を防止できる。よって、本発明に係る半導体装置をＣ
ＰＵ等に適用することで、低消費電力化、高速化を実現することができる。また、信頼性
の向上した半導体装置を、歩留まり良く製造することが可能になる。
【０２８１】
（実施の形態８）
本実施の形態では、上記実施の形態で示した半導体装置の使用形態の一例について説明
する。具体的には、非接触でデータの入出力が可能である半導体装置の適用例に関して、
図面を用いて以下に説明する。非接触でデータの入出力が可能である半導体装置は利用の
形態によって、ＲＦＩＤタグ、ＩＤタグ、ＩＣタグ、ＩＣチップ、ＲＦタグ、無線タグ、
電子タグまたは無線チップとも呼ばれる。
【０２８２】
本実施の形態で示す半導体装置の上面構造の一例について、図２９（Ａ）を参照して説
明する。図２９に示す半導体装置２１８０は、メモリ部やロジック部を構成する複数の薄
膜トランジスタ等の素子が設けられた薄膜集積回路２１３１と、アンテナとして機能する
導電層２１３２を含んでいる。アンテナとして機能する導電層２１３２は、薄膜集積回路
２１３１に電気的に接続されている。薄膜集積回路２１３１には、上記実施の形態１乃至
６で示した本発明に係る薄膜トランジスタを適用することができる。
【０２８３】
また、図２９（Ｂ）、（Ｃ）に図２９（Ａ）中の線分ａ１−ｂ１の断面の模式図を示す
。アンテナとして機能する導電層２１３２は、メモリ部及びロジック部を構成する素子の
上方に設ければよく、例えば、上記実施の形態６で示した構造の上方に、絶縁層２１３０
を介してアンテナとして機能する導電層２１３２を設けることができる（図２９（Ｂ）参
照）。他にも、アンテナとして機能する導電層２１３２を基板２１３３に別に設けた後、
当該基板２１３３及び薄膜集積回路２１３１を、導電層２１３２が間に位置するように貼
り合わせて設けることができる（図２９（Ｃ）参照）。ここでは、絶縁層２１３０上に設
けられた導電層２１３６とアンテナとして機能する導電層２１３２とが、接着性を有する
樹脂２１３５中に含まれる導電性粒子２１３４を介して電気的に接続されている。
【０２８４】
なお、本実施の形態では、アンテナとして機能する導電層２１３２をコイル状に設け、
電磁誘導方式または電磁結合方式を適用する例を示すが、本発明の半導体装置はこれに限
られずマイクロ波方式を適用することも可能である。マイクロ波方式の場合は、用いる電
磁波の波長によりアンテナとして機能する導電層２１３２の形状を適宜決めればよい。
【０２８５】
例えば、半導体装置２１８０における信号の伝送方式として、マイクロ波方式（例えば
、ＵＨＦ帯（８６０ＭＨｚ帯乃至９６０ＭＨｚ帯）、２．４５ＧＨｚ帯等）を適用する場
合には、信号の伝送に用いる電磁波の波長を考慮してアンテナとして機能する導電層の長
さ等の形状を適宜設定すればよい。例えば、アンテナとして機能する導電層を線状（例え
ば、ダイポールアンテナ（図３０（Ａ）参照））、平坦な形状（例えば、パッチアンテナ
（図３０（Ｂ）参照））またはリボン型の形状（図３０（Ｃ）、（Ｄ）参照）等に形成す
ることができる。また、アンテナとして機能する導電層２１３２の形状は線状に限られず
、電磁波の波長を考慮して曲線状や蛇行形状またはこれらを組み合わせた形状で設けても
よい。
【０２８６】
アンテナとして機能する導電層２１３２は、ＣＶＤ法、スパッタ法、スクリーン印刷や
グラビア印刷等の印刷法、液滴吐出法、ディスペンサ法、メッキ法等を用いて、導電性材
料により形成する。導電性材料として、アルミニウム（Ａｌ）、チタン（Ｔｉ）、銀（Ａ
ｇ）、銅（Ｃｕ）、金（Ａｕ）、白金（Ｐｔ）ニッケル（Ｎｉ）、パラジウム（Ｐｄ）、
タンタル（Ｔａ）、モリブデン（Ｍｏ）等の金属元素、又は当該金属元素を含む合金材料
若しくは化合物材料を用い、単層構造又は積層構造で導電層２１３２を形成する。
【０２８７】
例えば、スクリーン印刷法を用いてアンテナとして機能する導電層２１３２を形成する
場合には、粒径が数ｎｍから数十μｍの導電体粒子を有機樹脂に溶解または分散させた導
電性のペーストを選択的に印刷することによって設けることができる。導電体粒子として
は、銀（Ａｇ）、金（Ａｕ）、銅（Ｃｕ）、ニッケル（Ｎｉ）、白金（Ｐｔ）、パラジウ
ム（Ｐｄ）、タンタル（Ｔａ）、モリブデン（Ｍｏ）およびチタン（Ｔｉ）等のいずれか
一つ以上の金属粒子やハロゲン化銀の微粒子、または分散性ナノ粒子を用いることができ
る。また、導電性ペーストに含まれる有機樹脂は、金属粒子のバインダー、溶媒、分散剤
および被覆材として機能する有機樹脂から選ばれた一つまたは複数を用いることができる
。代表的には、エポキシ樹脂、シリコン樹脂等の有機樹脂が挙げられる。また、導電層の
形成の際は、導電性のペーストを設けた後に焼成することが好ましい。例えば、導電性の
ペーストの材料として、銀を主成分とする微粒子（例えば粒径１ｎｍ以上１００ｎｍ以下
の微粒子）を用いる場合、１５０℃乃至３００℃の温度範囲で焼成することにより硬化さ
せて導電層を形成することができる。また、はんだや鉛フリーのはんだを主成分とする微
粒子を用いてもよく、この場合は粒径２０μｍ以下の微粒子を用いることが好ましい。は
んだや鉛フリーはんだは、低コストであるといった利点を有している。
【０２８８】
このように、非接触でデータの入出力が可能である半導体装置に本発明を適用すること
で、低消費電力化を図ることができるため、特に小型の半導体装置に用いる場合は効果的
である。
【０２８９】
次に、本実施の形態に係る半導体装置の動作例について説明する。
【０２９０】
半導体装置２１８０は、非接触でデータを交信する機能を有し、高周波回路８１、電源
回路８２、リセット回路８３、クロック発生回路８４、データ復調回路８５、データ変調
回路８６、他の回路の制御を行う制御回路８７、記憶回路８８およびアンテナ８９を有し
ている（図３１（Ａ）参照）。高周波回路８１はアンテナ８９より信号を受信して、デー
タ変調回路８６より受信した信号をアンテナ８９から出力する回路である。電源回路８２
は受信信号から電源電位を生成する回路である。リセット回路８３はリセット信号を生成
する回路である。クロック発生回路８４はアンテナ８９から入力された受信信号を基に各
種クロック信号を生成する回路である。データ復調回路８５は受信信号を復調して制御回
路８７に出力する回路である。データ変調回路８６は制御回路８７から受信した信号を変
調する回路である。また、制御回路８７としては、例えばコード抽出回路９１、コード判
定回路９２、ＣＲＣ判定回路９３および出力ユニット回路９４が設けられている。なお、
コード抽出回路９１は制御回路８７に送られてきた命令に含まれる複数のコードをそれぞ
れ抽出する回路であり、コード判定回路９２は抽出されたコードとリファレンスに相当す
るコードとを比較して命令の内容を判定する回路であり、ＣＲＣ判定回路９３は判定され
たコードに基づいて送信エラー等の有無を検出する回路である。図３１（Ａ）では、制御
回路８７の他に、アナログ回路である高周波回路８１、電源回路８２を含んでいる。
【０２９１】
次に、上述した半導体装置の動作の一例について説明する。まず、アンテナ８９により
無線信号が受信される。無線信号は高周波回路８１を介して電源回路８２に送られ、高電
源電位（以下、ＶＤＤと記す）が生成される。ＶＤＤは半導体装置２１８０が有する各回
路に供給される。また、高周波回路８１を介してデータ復調回路８５に送られた信号は復
調される（以下、復調信号という）。さらに、高周波回路８１を介してリセット回路８３
およびクロック発生回路８４を通った信号及び復調信号は制御回路８７に送られる。制御
回路８７に送られた信号は、コード抽出回路９１、コード判定回路９２およびＣＲＣ判定
回路９３等によって解析される。そして、解析された信号にしたがって、記憶回路８８内
に記憶されている半導体装置の情報が出力される。出力された半導体装置の情報は出力ユ
ニット回路９４を通って符号化される。さらに、符号化された半導体装置２１８０の情報
はデータ変調回路８６を通って、アンテナ８９により無線信号に載せて送信される。なお
、半導体装置２１８０を構成する複数の回路においては、低電源電位（以下、ＶＳＳとい
う）は共通であり、ＶＳＳはＧＮＤとすることができる。
【０２９２】
このように、リーダ／ライタから半導体装置２１８０に信号を送り、当該半導体装置２
１８０から送られてきた信号をリーダ／ライタで受信することによって、半導体装置のデ
ータを読み取ることが可能となる。
【０２９３】
また、半導体装置２１８０は、電源（バッテリー）を搭載せず、各回路への電源電圧の
供給を電磁波により行うタイプとしてもよいし、電源（バッテリー）を搭載して電磁波と
電源（バッテリー）により各回路に電源電圧を供給するタイプとしてもよい。
【０２９４】
次に、非接触でデータの入出力が可能な半導体装置の使用形態の一例について説明する
。表示部３２１０を含む携帯端末の側面には、リーダ／ライタ３２００が設けられている
。品物３２２０の側面には半導体装置３２３０が設けられている（図３１（Ｂ）参照）。
半導体装置３２３０が設けられた品物３２２０にリーダ／ライタ３２００をかざすと、表
示部３２１０に品物の原材料や原産地、生産工程ごとの検査結果や流通過程の履歴等、更
に商品の説明等の商品に関する情報が表示される。また、商品３２６０をベルトコンベア
により搬送する際にリーダ／ライタ３２４０と、商品３２６０に設けられた半導体装置３
２５０を用いて、該商品３２６０の検品を行うことができる（図３１（Ｃ）参照）。半導
体装置３２３０、半導体装置３２５０としては、上述した半導体装置２１８０を適用する
ことができる。このように、システムに本発明に係る半導体装置を活用することで、情報
の取得を簡単に行うことができ、高機能化と高付加価値化を実現する。また、本発明に係
る半導体装置は低消費電力化を実現できるため、品物に設ける半導体装置を小型化するこ
とが可能である。
【０２９５】
なお、上述した以外にも本発明に係る半導体装置の用途は広範にわたり、非接触で対象
物の履歴等の情報を明確にし、生産・管理等に役立てる商品であればどのようなものにも
適用することができる。例えば、紙幣、硬貨、有価証券類、証書類、無記名債券類、包装
用容器類、書籍類、記録媒体、身の回り品、乗物類、食品類、衣類、保健用品類、生活用
品類、薬品類及び電子機器等に設けて使用することができる。これらの例に関して図２８
を用いて説明する。
【０２９６】
紙幣、硬貨とは、市場に流通する金銭であり、特定の地域で貨幣と同じように通用する
もの（金券）、記念コイン等を含む。有価証券類とは、小切手、証券、約束手形等を指す
（図２８（Ａ）参照）。証書類とは、運転免許証、住民票等を指す（図２８（Ｂ）参照）
。無記名債券類とは、切手、おこめ券、各種ギフト券等を指す（図２８（Ｃ）参照）。包
装用容器類とは、お弁当等の包装紙、ペットボトル等を指す（図２８（Ｄ）参照）。書籍
類とは、書物、本等を指す（図２８（Ｅ）参照）。記録媒体とは、ＤＶＤソフト、ビデオ
テープ等を指す（図２８（Ｆ）参照）。乗物類とは、自転車等の車両、船舶等を指す（図
２８（Ｇ）参照）。身の回り品とは、鞄、眼鏡等を指す（図２８（Ｈ）参照）。食品類と
は、食料品、飲料等を指す。衣類とは、衣服、履物等を指す。保健用品類とは、医療器具
、健康器具等を指す。生活用品類とは、家具、照明器具等を指す。薬品類とは、医薬品、
農薬等を指す。電子機器とは、液晶表示装置、ＥＬ表示装置、テレビジョン装置（テレビ
受像機、薄型テレビ受像機）、携帯電話機等を指す。
【０２９７】
紙幣、硬貨、有価証券類、証書類、無記名債券類等に半導体装置２１８０を設けること
により、偽造を防止することができる。また、包装用容器類、書籍類、記録媒体等、身の
回り品、食品類、生活用品類、電子機器等に半導体装置２１８０を設けることにより、検
品システムやレンタル店のシステムなどの効率化を図ることができる。乗物類、保健用品
類、薬品類等に半導体装置２１８０を設けることにより、偽造や盗難の防止、薬品類なら
ば、薬の服用の間違いを防止することができる。半導体装置２１８０の設け方としては、
物品の表面に貼ったり、物品に埋め込んだりして設ける。例えば、本ならば紙に埋め込ん
だり、有機樹脂からなるパッケージなら当該有機樹脂に埋め込んだりするとよい。
【０２９８】
このように、包装用容器類、記録媒体、身の回り品、食品類、衣類、生活用品類、電子
機器等に半導体装置を設けることにより、検品システムやレンタル店のシステムなどの効
率化を図ることができる。また乗物類に半導体装置を設けることにより、偽造や盗難を防
止することができる。また、動物等の生き物に埋め込むことによって、個々の生き物の識
別を容易に行うことができる。例えば、家畜等の生き物にセンサーを備えた半導体装置を
埋め込む又は取り付けることによって、生まれた年や性別または種類等はもちろん現在の
体温等の健康状態を容易に管理することが可能となる。
【０２９９】
なお、本実施の形態は、上記実施の形態と自由に組み合わせて行うことができる。
【符号の説明】
【０３００】
１００    支持基板
１０２    絶縁層
１０４    シリコン層
１０５    ＳＯＩ基板
１０６    シリコン層
１０７    絶縁層
１０８    絶縁層
１１０    絶縁層
１１２    導電層
１１４    チャネル形成領域
１１６    不純物領域
１２０    薄膜トランジスタ
【図１】
0005973598.tif 000002
【図２】
0005973598.tif 000003
【図３】
0005973598.tif 000004
【図４】
0005973598.tif 000005
【図５】
0005973598.tif 000006
【図６】
0005973598.tif 000007
【図７】
0005973598.tif 000008
【図８】
0005973598.tif 000009
【図９】
0005973598.tif 000010
【図１０】
0005973598.tif 000011
【図１１】
0005973598.tif 000012
【図１２】
0005973598.tif 000013
【図１３】
0005973598.tif 000014
【図１４】
0005973598.tif 000015
【図１５】
0005973598.tif 000016
【図１６】
0005973598.tif 000017
【図１７】
0005973598.tif 000018
【図１８】
0005973598.tif 000019
【図１９】
0005973598.tif 000020
【図２０】
0005973598.tif 000021
【図２１】
0005973598.tif 000022
【図２２】
0005973598.tif 000023
【図２３】
0005973598.tif 000024
【図２４】
0005973598.tif 000025
【図２５】
0005973598.tif 000026
【図２６】
0005973598.tif 000027
【図２７】
0005973598.tif 000028
【図２８】
0005973598.tif 000029
【図２９】
0005973598.tif 000030
【図３０】
0005973598.tif 000031
【図３１】
0005973598.tif 000032